(57)【特許請求の範囲】
【請求項１】
入力された信号を２つに分配する信号分配手段と、
該信号分配手段から出力された２つの信号にそれぞれ含まれている狭帯域干渉波と拡散信号のレベル差を互いに異ならせるレベル差作成手段と、
該レベル差作成手段から出力された２つの信号を、狭帯域干渉波のレベルを一致させるとともに位相を互いに逆相にして合成する信号合成手段とを備え、
前記レベル差作成手段が、２つの信号経路を有し、該２つの信号経路の一方に一定以上のレベルの信号を周波数選択的に制限するレベル制限手段を有し、
前記レベル制限手段が、入力信号を２つ以上の信号に分配する第２の信号分配手段と、該第２の信号分配手段から出力された信号の１つの狭帯域干渉波と拡散信号のレベル差を前記入力信号に対して異ならせるレベル差変更手段と、該レベル差変更手段から出力された信号と前記第２の信号分配手段から出力された信号の別の１つを、狭帯域干渉波と拡散信号のレベル差の大きい方の信号の狭帯域干渉波のレベルを狭帯域干渉波と拡散信号のレベル差の小さい方の狭帯域干渉波のレベルより少し低くするとともに位相を互いに逆相にして合成する第２の信号合成手段からなることを特徴とする狭帯域干渉波制限装置。
【請求項２】
入力された信号を２つに分配する信号分配手段と、
該信号分配手段から出力された２つの信号にそれぞれ含まれている狭帯域干渉波と拡散信号のレベル差を互いに異ならせるレベル差作成手段と、
該レベル差作成手段から出力された２つの信号を、狭帯域干渉波のレベルを一致させるとともに位相を互いに逆相にして合成する信号合成手段とを備え、
前記レベル差作成手段が、２つの信号経路を有し、該２つの信号経路の両方に一定以上のレベルの信号を周波数選択的に制限するレベル制限手段を有し、
前記レベル制限手段が、入力信号を２つ以上の信号に分配する第２の信号分配手段と、該第２の信号分配手段から出力された信号の１つの狭帯域干渉波と拡散信号のレベル差を前記入力信号に対して異ならせるレベル差変更手段と、該レベル差変更手段から出力された信号と前記第２の信号分配手段から出力された信号の別の１つを、狭帯域干渉波と拡散信号のレベル差の大きい方の信号の狭帯域干渉波のレベルを狭帯域干渉波と拡散信号のレベル差の小さい方の狭帯域干渉波のレベルより少し低くするとともに位相を互いに逆相にして合成する第２の信号合成手段からなることを特徴とする狭帯域干渉波制限装置。
【請求項３】
入力された信号を２つに分配する信号分配手段と、
該信号分配手段から出力された２つの信号にそれぞれ含まれている狭帯域干渉波と拡散信号のレベル差を互いに異ならせるレベル差作成手段と、
該レベル差作成手段から出力された２つの信号を、狭帯域干渉波のレベルを一致させるとともに位相を互いに逆相にして合成する信号合成手段とを備え、
前記レベル差作成手段が、２つの信号経路を有し、該２つの信号経路の一方に一定以上のレベルの信号を周波数選択的に制限するレベル制限手段を有し、前記２つの信号経路の他方に一定以上のレベルの信号を周波数選択的に強調するレベル強調手段を有し、
前記レベル制限手段が、入力信号を２つ以上の信号に分配する第２の信号分配手段と、該第２の信号分配手段から出力された信号の１つの狭帯域干渉波と拡散信号のレベル差を前記入力信号に対して異ならせるレベル差変更手段と、該レベル差変更手段から出力された信号と前記第２の信号分配手段から出力された信号の別の１つを、狭帯域干渉波と拡散信号のレベル差の大きい方の信号の狭帯域干渉波のレベルを狭帯域干渉波と拡散信号のレベル差の小さい方の狭帯域干渉波のレベルより少し低くするとともに位相を互いに逆相にして合成する第２の信号合成手段からなることを特徴とする狭帯域干渉波制限装置。
【請求項４】
前記レベル強調手段が、静磁波フィルタを用いて構成されていることを特徴とする、請求項３に記載の狭帯域干渉波制限装置。
【請求項５】
複数の前記レベル強調手段が直列に接続して構成されていることを特徴とする、請求項３または４に記載の狭帯域干渉波制限装置。
【請求項６】
前記レベル差変更手段が、静磁波フィルタを用いて構成されていることを特徴とする、請求項１ないし５のいずれかに記載の狭帯域干渉波制限装置。
【請求項７】
前記レベル制限手段が、静磁波フィルタを用いて構成されていることを特徴とする、請求項１ないし６のいずれかに記載の狭帯域干渉波制限装置。
【請求項８】
複数の前記レベル制限手段が直列に接続されて構成されていることを特徴とする、請求項１ないし７のいずれかに記載の狭帯域干渉波制限装置。
【請求項９】
前記信号分配手段と前記レベル差作成手段と前記信号合成手段を１つの狭帯域干渉波制限ブロックとして、複数の前記狭帯域干渉波制限ブロックを直列に接続してなることを特徴とする、請求項１ないし８のいずれかに記載の狭帯域干渉波制限装置。
【請求項１０】
前記信号分配手段の前段に、前記狭帯域干渉波のレベルを一定にするための第１のＡＧＣアンプを設けるとともに、前記信号合成手段の後段に、前記拡散信号のレベルを一定にするための第２のＡＧＣアンプを設けたことを特徴とする、請求項１ないし９のいずれかに記載の狭帯域干渉波制限装置。
【請求項１１】
前記第２のＡＧＣアンプの増幅率が、前記第１のＡＧＣアンプの増幅率から決定されていることを特徴とする、請求項１０に記載の狭帯域干渉波制限装置。
【請求項１２】
前記第１のＡＧＣアンプの増幅率と、前記第２のＡＧＣアンプの増幅率の和を一定としたことを特徴とする、請求項１１に記載の狭帯域干渉波制限装置。
【請求項１３】
請求項１ないし１２のいずれかに記載の狭帯域干渉波制限装置を用いたことを特徴とする通信装置。
【発明の詳細な説明】
【０００１】
【発明の属する技術分野】
本発明は、狭帯域干渉波制限装置およびそれを用いた通信装置、特にスペクトル拡散通信における拡散信号の占有周波数帯域内に混入した狭帯域干渉波のレベルを制限する狭帯域干渉波制限装置およびそれを用いた通信装置に関する。
【０００２】
【従来の技術】
近年のスペクトル拡散通信の拡大にともなって、拡散信号の占有周波数帯域に狭帯域の干渉波が混入して通信品質が劣化するという問題が発生している。そして、その対策として拡散信号に混入した狭帯域干渉波を制限する装置が必要となってきている。
【０００３】
図２６に、従来の狭帯域干渉波制限装置を示す。図２６に示した狭帯域干渉波制限装置１は、その基本的な構成が特開平９−２１４３９７号公報に開示されている。
【０００４】
図２６において、狭帯域干渉波制限装置１は、入力端子２と、入力端子２に直列に接続された増幅率可変アンプ３およびリミッタ型の静磁波フィルタ４と、静磁波フィルタ４に接続された出力端子５から構成されている。
【０００５】
まず、増幅率可変アンプ３は、信号が入力されると、信号の中の拡散信号のレベルが静磁波フィルタ４の飽和レベルにほぼ一致するように増幅制御する。このとき、信号の中に拡散信号のレベルよりも高いレベルの狭帯域干渉波が混入していれば、それも同時に同じ増幅率で増幅される。
【０００６】
次に、図２７に、静磁波フィルタ４の構成を示す。図２７において、静磁波フィルタ４は、ＧＧＧ（ガドリニウム・ガリウム・ガーネット）基板６、ＧＧＧ基板６上に形成されたＹＩＧ薄膜７、ＹＩＧ薄膜７上に配置された入力トランスデューサ８および出力トランスデューサ９から構成されている。このうち、入力トランスデューサ８の一端は信号入力端子８ｉｎに接続され、他端は接地されている。また、出力トランスデューサ９の一端は信号出力端子９ｏｕｔに接続され、他端は接地されている。そして、ＹＩＧ薄膜７には磁界Ｈが印加されている。
【０００７】
このように構成された静磁波フィルタ４において、信号入力端子８ｉｎから入力された信号が入力トランスデューサ８に加えられると、ＹＩＧ薄膜７に静磁波が励起される。励起された静磁波は出力トランスデューサ９の方に伝搬され、出力トランスデューサ９で受信され、信号出力端子９ｏｕｔから出力される。このとき、入力トランスデューサ８から出力トランスデューサ９に伝搬される信号のレベルは、静磁波フィルタ４の飽和レベル以下の値に制限され、それ以上のレベルの信号は伝搬されない。すなわち、静磁波フィルタ４は、帯域内において、その飽和レベル以上のレベルの信号を、その飽和レベルまで周波数選択的に制限する機能を持つ。言い換えれば、周波数軸上で静磁波フィルタ４の飽和レベル以上になる周波数の信号を飽和レベルまで制限することができる。逆に、静磁波フィルタ４の飽和レベルに達しない周波数の信号に対してはレベル制限は行われない。なお、静磁波フィルタ４には、周波数選択的なレベル制限ではなく、帯域全体に渡る挿入損失もあり、その分だけ周波数帯域全体で減衰する。
【０００８】
図２６に戻り、このように構成された狭帯域干渉波制限装置１において、入力端子２から拡散信号や狭帯域干渉波を含む信号が入力されると、拡散信号のレベルが、増幅率可変アンプ３で例えば静磁波フィルタ４の飽和レベルまで増幅される。この増幅された信号が静磁波フィルタ４に入力されると、その飽和レベル以上のレベルの信号が周波数選択的に制限される。すなわち、静磁波フィルタ４の飽和レベルより高いレベルの狭帯域干渉波が混入していれば、静磁波フィルタ４の飽和レベル、すなわちこの場合は拡散信号のレベルまで制限されるということになる。このようにして、狭帯域干渉波のレベルが例えば拡散信号のレベルまで制限され、出力端子５から出力される。
【０００９】
【発明が解決しようとする課題】
ところで、図２６に示した狭帯域干渉波制限装置１においては、狭帯域干渉波のレベルが静磁波フィルタ４の飽和レベルに対して非常に大きい場合には、レベル制限した狭帯域干渉波の近傍の周波数帯域における飽和レベル以下の信号、すなわち拡散信号自身のレベルが異常に低下する（これを巻き込みと呼ぶ）という問題がある。そして、この巻き込みは、狭帯域干渉波のレベルを大きく制限するほど大きくなるという性質がある。そして、巻き込みが生じることによって拡散信号の品質が劣化するという問題がある。
【００１０】
そこで、本発明は、狭帯域干渉波を制限でき、しかも静磁波フィルタを用いているにもかかわらず、巻き込みによる拡散信号の品質の劣化の少ない狭帯域干渉波制限装置およびそれを用いた通信装置を提供する。
【００１１】
【課題を解決するための手段】
上記目的を達成するために、本発明の狭帯域干渉波制限装置は、入力された信号を２つに分配する信号分配手段と、該信号分配手段から出力された２つの信号にそれぞれ含まれている狭帯域干渉波と拡散信号のレベル差を互いに異ならせるレベル差作成手段と、該レベル差作成手段から出力された２つの信号を、狭帯域干渉波のレベルを一致させるとともに位相を互いに逆相にして合成する信号合成手段とを備え、前記レベル差作成手段が、２つの信号経路を有し、該２つの信号経路の一方に一定以上のレベルの信号を周波数選択的に制限するレベル制限手段を有し、前記レベル制限手段が、入力信号を２つ以上の信号に分配する第２の信号分配手段と、該第２の信号分配手段から出力された信号の１つの狭帯域干渉波と拡散信号のレベル差を前記入力信号に対して異ならせるレベル差変更手段と、該レベル差変更手段から出力された信号と前記第２の信号分配手段から出力された信号の別の１つを、狭帯域干渉波と拡散信号のレベル差の大きい方の信号の狭帯域干渉波のレベルを狭帯域干渉波と拡散信号のレベル差の小さい方の狭帯域干渉波のレベルより少し低くするとともに位相を互いに逆相にして合成する第２の信号合成手段からなることを特徴とする。
【００１２】
また、本発明の狭帯域干渉波制限装置は、入力された信号を２つに分配する信号分配手段と、該信号分配手段から出力された２つの信号にそれぞれ含まれている狭帯域干渉波と拡散信号のレベル差を互いに異ならせるレベル差作成手段と、該レベル差作成手段から出力された２つの信号を、狭帯域干渉波のレベルを一致させるとともに位相を互いに逆相にして合成する信号合成手段とを備え、前記レベル差作成手段が、２つの信号経路を有し、該２つの信号経路の両方に一定以上のレベルの信号を周波数選択的に制限するレベル制限手段を有し、前記レベル制限手段が、入力信号を２つ以上の信号に分配する第２の信号分配手段と、該第２の信号分配手段から出力された信号の１つの狭帯域干渉波と拡散信号のレベル差を前記入力信号に対して異ならせるレベル差変更手段と、該レベル差変更手段から出力された信号と前記第２の信号分配手段から出力された信号の別の１つを、狭帯域干渉波と拡散信号のレベル差の大きい方の信号の狭帯域干渉波のレベルを狭帯域干渉波と拡散信号のレベル差の小さい方の狭帯域干渉波のレベルより少し低くするとともに位相を互いに逆相にして合成する第２の信号合成手段からなることを特徴とする。
【００１３】
また、本発明の狭帯域干渉波制限装置は、入力された信号を２つに分配する信号分配手段と、該信号分配手段から出力された２つの信号にそれぞれ含まれている狭帯域干渉波と拡散信号のレベル差を互いに異ならせるレベル差作成手段と、
該レベル差作成手段から出力された２つの信号を、狭帯域干渉波のレベルを一致させるとともに位相を互いに逆相にして合成する信号合成手段とを備え、前記レベル差作成手段が、２つの信号経路を有し、該２つの信号経路の一方に一定以上のレベルの信号を周波数選択的に制限するレベル制限手段を有し、前記２つの信号経路の他方に一定以上のレベルの信号を周波数選択的に強調するレベル強調手段を有し、前記レベル制限手段が、入力信号を２つ以上の信号に分配する第２の信号分配手段と、該第２の信号分配手段から出力された信号の１つの狭帯域干渉波と拡散信号のレベル差を前記入力信号に対して異ならせるレベル差変更手段と、該レベル差変更手段から出力された信号と前記第２の信号分配手段から出力された信号の別の１つを、狭帯域干渉波と拡散信号のレベル差の大きい方の信号の狭帯域干渉波のレベルを狭帯域干渉波と拡散信号のレベル差の小さい方の狭帯域干渉波のレベルより少し低くするとともに位相を互いに逆相にして合成する第２の信号合成手段からなることを特徴とする。
【００１４】
また、本発明の狭帯域干渉波制限装置は、前記レベル強調手段が、静磁波フィルタを用いて構成されていることを特徴とする。
【００１５】
また、本発明の狭帯域干渉波制限装置は、複数の前記レベル強調手段が直列に接続して構成されていることを特徴とする。
【００１７】
また、本発明の狭帯域干渉波制限装置は、前記レベル差変更手段が、静磁波フィルタを用いて構成されていることを特徴とする。
【００１８】
また、本発明の狭帯域干渉波制限装置は、前記レベル制限手段が、静磁波フィルタを用いて構成されていることを特徴とする。
【００１９】
また、本発明の狭帯域干渉波制限装置は、複数の前記レベル制限手段が直列に接続して構成されていることを特徴とする。
【００２０】
また、本発明の狭帯域干渉波制限装置は、前記信号分配手段と前記レベル差作成手段と前記信号合成手段を１つの狭帯域干渉波制限ブロックとして、複数の前記狭帯域干渉波制限ブロックを直列に接続してなることを特徴とする。
記載の狭帯域干渉波制限装置。
【００２１】
また、本発明の狭帯域干渉波制限装置は、前記信号分配手段の前段に、前記狭帯域干渉波のレベルを一定にするための第１のＡＧＣアンプを設けるとともに、前記信号合成手段の後段に、前記拡散信号のレベルを一定にするための第２のＡＧＣアンプを設けたことを特徴とする。
【００２２】
また、本発明の狭帯域干渉波制限装置は、前記第２のＡＧＣアンプの増幅率が、前記第１のＡＧＣアンプの増幅率から決定されていることを特徴とする。
【００２３】
また、本発明の狭帯域干渉波制限装置は、前記第１のＡＧＣアンプの増幅率と、前記第２のＡＧＣアンプの増幅率の和を一定としたことを特徴とする。
【００２４】
また、本発明の通信装置は、上記の狭帯域干渉波制限装置を用いたことを特徴とする。
【００２５】
このように構成することにより、本発明の狭帯域干渉波制限装置においては、狭帯域干渉波を制限し、しかも静磁波フィルタを用いているにもかかわらず、巻き込みによる拡散信号の品質の劣化を防止することができる。
【００２６】
また、本発明の通信装置においては、通信品質の劣化を防止することができる。
【００２７】
【発明の実施の形態】
図１に、本発明の狭帯域干渉波制限装置の一実施例を示す。図１において、狭帯域干渉波制限装置１０は、入力端子１１と、入力端子１１に接続された信号分配手段である信号分配器１２と、信号分配器１２の一方の出力に接続されたレベル制限手段であるリミッタ型の静磁波フィルタ１３と、信号分配器１２の他方の出力に直列に接続された減衰器１４および移相器１５と、静磁波フィルタ１３と移相器１５の両者に接続された信号合成器１６と、信号合成器１６に接続された出力端子１７から構成されている。このうち、信号分配器１２から静磁波フィルタ１３を経由して信号合成器１６に至る信号経路を第１の信号経路ｐ１、同じく減衰器１４と移相器１５を経由する信号経路を第２の信号経路ｐ２とする。そして、静磁波フィルタ１３と、信号分配器１２と減衰器１４の間の配線の一部は、内部に２つの信号経路を有するレベル差作成手段１８を構成している。また、減衰器１４と移相器１５と信号合成器１６は信号合成手段１９を構成している。なお、静磁波フィルタ１３の基本構成は、図２７に示した従来の狭帯域干渉波制限装置１におけるリミッタ型の静磁波フィルタ４と基本的に同じで、同様の特性を有する。
【００２８】
ここで、図２に、狭帯域干渉波制限装置１０の各部に流れる信号の周波数特性を示し、これを併用して狭帯域干渉波制限装置１０の動作を説明する。なお、図２において、グラフの縦軸の信号レベルはｄＢ表示している。
【００２９】
まず、図２（ａ）に、狭帯域干渉波制限装置１０の入力端子１１に入力される信号ｓ０の周波数特性を示す。図２（ａ）に示すように、入力端子１１にはレベルが低く、広帯域に広がった拡散信号ｓｓが入力される。そして、拡散信号ｓｓの占有周波数帯域内には、拡散信号ｓｓよりレベルの高い狭帯域干渉波ｎが混入している。ここで、狭帯域干渉波ｎと拡散信号ｓｓのレベル差はｄ０となっている。
【００３０】
入力端子１１に入力された信号ｓ０は信号分配器１２で２等分され、一方の出力から信号ｓ１として、他方の出力から信号ｓ３として出力される。図２（ｂ）に、信号ｓ１およびｓ３の周波数特性を示す。なお、図２（ｂ）〜（ｅ）においては、拡散信号ｓｓと狭帯域干渉波ｎについて符号を示すことは図面が煩雑になるため符号表示を省略する。図２（ｂ）において、拡散信号ｓｓと狭帯域干渉波ｎは２等分された分だけ、すなわち、少なくとも３ｄＢは全体としてレベルダウンしている。ただし、狭帯域干渉波ｎと拡散信号ｓｓのレベル差はｄ０のまま変化していない。
【００３１】
次に、第１の信号経路ｐ１においては、信号ｓ１は静磁波フィルタ１３に入力される。静磁波フィルタ１３においては、その飽和レベルｒが信号ｓ１の狭帯域干渉波ｎのレベルより２〜６ｄＢ程度低くなるように設定されている。逆に言えば、信号分配器１２に入力される信号ｓ０は、静磁波フィルタ１３に入力される段階で狭帯域干渉波ｎのレベルが飽和レベルｒより２〜６ｄＢ大きくなるように、増幅率可変アンプなどであらかじめレベル調整しておく必要がある。図２（ｂ）において、静磁波フィルタ１３の飽和レベルｒを一点鎖線で示している。そして、静磁波フィルタ１３の飽和レベルｒと拡散信号ｓｓのレベル差はｄ０より小さいｄ１となっている。
【００３２】
静磁波フィルタ１３においては、狭帯域干渉波ｎが飽和レベルｒまで、すなわち２〜６ｄＢだけ制限され、出力される。図２（ｃ）に、静磁波フィルタ１３から出力された信号ｓ２の周波数特性を示す。図２（ｃ）に示すように、静磁波フィルタ１３による狭帯域干渉波ｎのレベル制限によって、狭帯域干渉波ｎと拡散信号ｓｓのレベル差はｄ１となっている。このとき、静磁波フィルタ１３で制限される狭帯域干渉波ｎのレベル差が狭帯域干渉波ｎの全体のレベルに対して比較的小さいため、拡散信号ｓｓには巻き込みはほとんど発生しない。なお、図２（ｃ）においては、拡散信号ｓｓのレベルが図２（ｂ）におけるよりも低下しているが、これは静磁波フィルタ１３に周波数に関わらず存在する挿入損失のためである。
【００３３】
また、第２の信号経路ｐ２においては、減衰器１４によって、信号ｓ３に含まれる狭帯域干渉波ｎのレベルが信号ｓ２に含まれる狭帯域干渉波ｎのレベルに一致するように減衰される。減衰器１４の減衰量は、静磁波フィルタ１３の飽和レベルと挿入損失から決定される。このとき、狭帯域干渉波ｎだけでなく、拡散信号ｓｓも同じだけ減衰される。さらに、移相器１５によって、第２の信号経路ｐ２を通って信号合成器１６に入力される信号ｓ４の位相が、第１の経路ｐ１を通って信号合成器１６に入力される信号ｓ２の位相に対して逆相になるように位相シフトされる。図２（ｄ）に、移相器１５から出力された信号ｓ４の周波数特性を示す。図２（ｄ）に示すように、信号ｓ４の狭帯域干渉波ｎのレベルは信号ｓ２の狭帯域干渉波ｎのレベルと一致している。なお、狭帯域干渉波ｎと拡散信号ｓｓのレベル差はｄ０のまま変化していない。その結果、信号ｓ４の拡散信号の方が信号ｓ２の拡散信号よりも２〜６ｄＢだけレベルが低くなっている。
【００３４】
そして、第１の信号経路ｐ１を通ってきた信号ｓ２と第２の信号経路ｐ２を通ってきた信号ｓ４は、信号合成器１６で互いに対等に合成される。このとき、信号ｓ２と信号ｓ４では、狭帯域干渉波ｎは同じレベルで、しかも位相が互いに逆相になっているために、理論的には完全に打ち消し合う。少なくとも十分に低いレベルになる。一方、信号ｓ２の拡散信号ｓｓと信号ｓ４の拡散信号ｓｓは、互いにレベルが２〜６ｄＢ異なるため、たとえ位相が逆相であっても完全には打ち消し合うことはなく、一定レベルの信号が残る。例えばｄ０とｄ１の差が２ｄＢであれば、信号合成器１６から出力される信号ｓ５の拡散信号ｓｓのレベルは信号ｓ２の拡散信号ｓｓのレベルより約４．３３ｄＢ低いレベルに、ｄ０とｄ１の差が６ｄＢであれば、同じく約１．２５ｄＢ低いレベルになる。図２（ｅ）に、信号合成器１６から出力される信号ｓ５の周波数特性を示す。図２（ｅ）に示すように、信号ｓ５の拡散信号ｓｓは信号ｓ２の拡散信号ｓｓに対して少しレベルダウンしただけで残るにも関わらず、狭帯域干渉波ｎの存在していた周波数の信号はなくなる。このようにして、拡散信号ｓｓから狭帯域干渉波ｎが制限される。
【００３５】
ここで、図３に、狭帯域干渉波制限装置１０の、第１の信号経路ｐ１と第２の信号経路ｐ２における信号の入出力特性の具体例のグラフを示す。図３において、ｃ１は第１の信号経路ｐ１の入出力特性を、ｃ２は第２の信号経路ｐ２の入出力特性を、ｃ３は両者を合成した狭帯域干渉波制限装置１０全体の入出力特性を示している。
【００３６】
まず、第１の信号経路ｐ１においては、ｃ１に示すように、全てのレベルの入力に対して−９ｄＢの挿入損失が存在するだけでなく、静磁波フィルタ１３の飽和レベルが−２０ｄＢｍに設定されているため、−２０ｄＢｍ以上の入力レベルに対して出力レベルが−２９ｄＢｍで飽和している。また、第２の信号経路ｐ２においては、ｃ２に示すように、減衰器１４によって−１３ｄＢの挿入損失が存在する。そして、両者を逆相で合成することによって、ｃ１とｃ２の交差する−１６ｄＢｍの入力レベルの一点で出力レベルが−４６ｄＢｍへと大幅に低下している。
【００３７】
そして、図２を用いて説明したのと同様に、グラフの下部に示すような拡散信号ｓｓと狭帯域干渉波ｎからなる信号が入力されると、グラフの左に示すような狭帯域干渉波が制限された信号が得られることが分かる。なお、すでに説明したように、このとき入力信号は、狭帯域干渉波ｎのレベルが−１６ｄＢｍになるようにあらかじめ増幅制御されていることが条件となる。
【００３８】
以上説明したように、狭帯域干渉波制限装置１０においては、拡散信号ｓｓの占有周波数帯域内に混入した狭帯域干渉波ｎのレベルを大きく制限することができる。しかも、レベル制限手段としてリミッタ型の静磁波フィルタ１３を用いているにもかかわらず、従来の狭帯域干渉波制限装置１のように大きな巻き込みが発生することがなく、狭帯域干渉波のレベル制限を行うことによる拡散信号の品質の劣化を防止することができる。
【００３９】
なお、狭帯域干渉波制限装置１０において、移相器１５を設ける位置は減衰器１４の次段に限るものではなく、第１の信号経路ｐ１と第２の信号経路ｐ２を通る信号の位相を互いに逆相にすることのできるものであれば、２つの信号経路のどこにいくつ設けても構わないものである。また、移相器１５の位相シフト量は必ずしも１８０度に設定するものではなく、第１の信号経路ｐ１と第２の信号経路ｐ２の各部や配線における位相のズレを考慮して、２つの信号経路全体として逆相になるようにその値が決められるものである。また、信号分配器１２や信号合成器１６に、方向性結合器のような自分自身に位相をずらす機能のあるものを使う場合や、静磁波フィルタ１３に入力と出力のトランスデューサの向きを互いに逆にするなどして位相を反転させる機能のあるものを使う場合には、その分も考慮して位相シフト量を設定するものである。そのため、条件によっては単体としての移相器が不要になる場合も考えられるものである。
【００４０】
また、狭帯域干渉波制限装置１０においては、第２の信号経路ｐ２に減衰器１４を設けて、信号合成器１６に入力される２つの信号の狭帯域干渉波のレベルが一致するようにしている。しかし、例えば方向性結合器のように信号分配器自身に信号ｓ３のレベルを信号ｓ１のレベルより低くなるように分配できる機能があったり、あるいは信号合成器自身に信号ｓ４のレベルを信号ｓ２のレベルより下げて合成できる機能があれば、単体としての減衰器が不要になる場合も考えられるものである。
【００４１】
さらに、狭帯域干渉波制限装置１０においては、第２の信号経路ｐ２にのみ減衰器を設けているが、静磁波フィルタ１３に入力される信号のレベル調整をするなど、必要に応じて減衰器を２つの信号経路のどこにいくつ設けても構わないものである。
【００４２】
図４に、本発明の狭帯域干渉波制限装置の別の実施例を示す。図４において、図１と同一もしくは同等の部分には同じ記号を付し、その説明を省略する。
【００４３】
図４において、狭帯域干渉波制限装置２０は、信号分配手段である信号分配器１２の一方の出力と信号合成器１６の間に減衰器２１とレベル制限手段であるリミッタ型の静磁波フィルタ２２を直列に接続し、信号分配器１２の他方の出力と信号合成器１６の間にレベル制限手段であるリミッタ型の静磁波フィルタ２３と移相器２４を直列に接続して構成されている。このうち、信号分配器１２から減衰器２１と静磁波フィルタ２２を経由して信号合成器１６に至る信号経路を第１の信号経路ｐ３、同じく静磁波フィルタ２３と移相器２４を経由する信号経路を第２の信号経路ｐ４とする。そして減衰器２１と静磁波フィルタ２２および２３は、内部に２つの信号経路を有するレベル差作成手段２５を構成している。また、移相器２４と信号合成器１６は信号合成手段２６を構成している。なお、静磁波フィルタ２２および２３の基本構成は、図２７に示した従来の狭帯域干渉波制限装置１におけるリミッタ型の静磁波フィルタ４と基本的に同じで、同様の特性を有する。
【００４４】
ここで、図５に、狭帯域干渉波制限装置２０の各部に流れる信号の周波数特性を示し、これを併用して狭帯域干渉波制限装置２０の動作を説明する。なお、図５において、グラフの縦軸の信号レベルはｄＢ表示している。
【００４５】
まず、図５（ａ）に、狭帯域干渉波制限装置２０の入力端子１１に入力される信号ｓ６の周波数特性を示す。図５（ａ）に示すように、入力端子１１にはレベルが低く、広帯域に広がった拡散信号ｓｓが入力される。そして、拡散信号ｓｓの占有周波数帯域内には、拡散信号ｓｓよりレベルの高い狭帯域干渉波ｎが混入している。ここで、狭帯域干渉波ｎと拡散信号ｓｓのレベル差はｄ２となっている。
【００４６】
入力端子１１に入力された信号ｓ６は信号分配器１２で２等分され、一方の出力から信号ｓ７として、他方の出力から信号ｓ１０として出力される。図５（ｂ）に、信号ｓ７およびｓ１０の周波数特性を示す。なお、図５（ｂ）〜（ｆ）においては、拡散信号ｓｓと狭帯域干渉波ｎについて符号を示すことは図面が煩雑になるため符号表示を省略する。図５（ｂ）において、拡散信号ｓｓと狭帯域干渉波ｎは２等分された分だけ、すなわち、少なくとも３ｄＢは全体としてレベルダウンしている。ただし、狭帯域干渉波ｎと拡散信号ｓｓのレベル差はｄ２のまま変化していない。
【００４７】
次に、第１の信号経路ｐ３においては、信号ｓ７は減衰器２１に入力される。減衰器２１の減衰量は２〜６ｄＢに設定されているため、拡散信号ｓｓと狭帯域干渉波ｎの両者が減衰されて信号ｓ８として出力される。図５（ｃ）に、減衰器２１から出力された信号ｓ８の周波数特性を示す。図５（ｃ）に示すように、信号ｓ８は全体的に減衰され、拡散信号ｓｓと狭帯域干渉波ｎのレベル差はｄ２のまま変化していない。
【００４８】
そして、減衰器２１から出力された信号ｓ８は静磁波フィルタ２２に入力される。静磁波フィルタ２２においては、その飽和レベルｒが信号ｓ８の狭帯域干渉波ｎのレベルより少し低くなるように設定されている。逆に言えば、信号分配器１２に入力される信号ｓ６は、静磁波フィルタ２２に入力される段階で狭帯域干渉波ｎのレベルが飽和レベルｒよりすこし大きくなるように、増幅率可変アンプなどであらかじめレベル調整しておく必要がある。図５（ｃ）において、静磁波フィルタ２２の飽和レベルｒを一点鎖線で示している。そして、静磁波フィルタ２２の飽和レベルｒと拡散信号ｓｓのレベル差はｄ２より小さいｄ３となっている。
【００４９】
静磁波フィルタ２２においては、狭帯域干渉波ｎが飽和レベルｒまで制限され、出力される。図５（ｄ）に、静磁波フィルタ２２から出力された信号ｓ９の周波数特性を示す。図５（ｄ）に示すように、静磁波フィルタ２２による狭帯域干渉波ｎのレベル制限によって、狭帯域干渉波ｎと拡散信号ｓｓのレベル差はｄ３となっている。このとき、静磁波フィルタ２２で制限される狭帯域干渉波ｎのレベル差が狭帯域干渉波ｎの全体のレベルに対して比較的小さいため、拡散信号ｓｓには巻き込みはほとんど発生しない。なお、図５（ｄ）においては、拡散信号ｓｓのレベルが図５（ｃ）におけるよりも低下しているが、これは静磁波フィルタ２２に周波数に関わらず存在する挿入損失のためである。
【００５０】
また、第２の信号経路ｐ２においては、信号ｓ１０は静磁波フィルタ２３に入力される。図５（ｂ）において、静磁波フィルタ２３の飽和レベルｒを一点鎖線で示している。静磁波フィルタ２３の飽和レベルは静磁波フィルタ２２と同じ値に設定されている。しかしながら、信号ｓ１０の狭帯域干渉波ｎのレベルは信号ｓ８の狭帯域干渉波ｎのレベルより減衰器２１の減衰量の分だけ大きい。そのため、図５（ｂ）に示すように、静磁波フィルタ２３の飽和レベルｒと拡散信号ｓｓのレベル差はｄ３よりさらに小さいｄ４となっている。
【００５１】
静磁波フィルタ２３においては、狭帯域干渉波ｎが飽和レベルｒまで制限され、出力される。図５（ｅ）に、静磁波フィルタ２３から出力され移相器２４を通過した信号ｓ１１の周波数特性を示す。なお、移相器２４では位相がシフトされるだけなので移相器２４による周波数特性の変化はなく、移相器２４を通過した信号ｓ１１の周波数特性は、静磁波フィルタ２３から出力される信号の周波数特性と同じである。図５（ｅ）に示すように、静磁波フィルタ２３による狭帯域干渉波ｎのレベル制限によって、狭帯域干渉波ｎと拡散信号ｓｓのレベル差はｄ４となっている。このとき、静磁波フィルタ２３で制限される狭帯域干渉波ｎのレベル差が狭帯域干渉波ｎの全体のレベルに対して比較的小さいため、拡散信号ｓｓには巻き込みはほとんど発生しない。そして、静磁波フィルタ２２と２３は飽和レベルｒが等しいため、信号ｓ９とｓ１１の狭帯域干渉波ｎのレベルも一致している。なお、図５（ｅ）においては、拡散信号ｓｓのレベルが図５（ｂ）におけるよりも低下しているが、これは静磁波フィルタ２３に周波数に関わらず存在する挿入損失のためである。
【００５２】
静磁波フィルタ２３から出力された信号は移相器２４に入力され、移相器２４によって、第２の信号経路ｐ２を通って信号合成器１６に入力される信号ｓ９の位相が、第１の経路ｐ１を通って信号合成器１６に入力される信号ｓ１１の位相に対して逆相になるように位相シフトされる。
【００５３】
そして、第１の信号経路ｐ３を通ってきた信号ｓ９と第２の信号経路ｐ４を通ってきた信号ｓ１１は、信号合成器１６で互いに対等に合成される。このとき、信号ｓ９と信号ｓ１１では、狭帯域干渉波ｎは同じレベルで、しかも位相が互いに逆相になっているために、理想的には完全に打ち消し合う。少なくとも十分に低いレベルになる。一方、信号ｓ９の拡散信号ｓｓと信号ｓ１１の拡散信号ｓｓは、互いにレベルが２〜６ｄＢ異なるため、たとえ位相が逆相であっても完全には打ち消し合うことはなく、一定レベルの信号が残る。例えばｄ３とｄ４の差が２ｄＢであれば、信号合成器１６から出力される信号ｓ１２の拡散信号ｓｓのレベルは信号ｓ１１の拡散信号ｓｓのレベルより約４．３３ｄＢ低いレベルに、ｄ３とｄ４の差が６ｄＢであれば、同じく約１．２５ｄＢ低いレベルになる。図５（ｆ）に、信号合成器１６から出力される信号ｓ１２の周波数特性を示す。図５（ｆ）に示すように、拡散信号ｓｓは少しレベルダウンしただけで残るにも関わらず、狭帯域干渉波ｎの存在していた周波数の信号はなくなる。このようにして、拡散信号ｓｓから狭帯域干渉波ｎが制限される。
【００５４】
ここで、図６に、狭帯域干渉波制限装置２０の、第１の信号経路ｐ３と第２の信号経路ｐ４における信号の入出力特性の具体例のグラフを示す。図６において、ｃ４は第１の信号経路ｐ３の入出力特性を、ｃ５は第２の信号経路ｐ４の入出力特性を、ｃ６は両者を合成した狭帯域干渉波制限装置２０全体の入出力特性を示している。
【００５５】
まず、第２の信号経路ｐ４においては、ｃ５に示すように、全ての入力レベルに対して−９ｄＢの挿入損失が存在するだけでなく、静磁波フィルタ２３の飽和レベルが−２０ｄＢｍに設定されているため、−２０ｄＢｍ以上の入力レベルに対して出力レベルが−２９ｄＢｍで飽和している。また、第１の信号経路ｐ３においては、減衰器２１によって約４ｄＢ減衰されているために、ｃ４に示すように、−１３ｄＢの挿入損失が存在するだけでなく、−１６ｄＢｍ以上の入力レベルに対して出力レベルが−２９ｄＢｍで飽和している。そして、両者を逆相で合成することによって、ｃ３とｃ４の一致する−１６ｄＢｍ以上の入力レベルで出力レベルが−４６ｄＢへと大幅に低下している。これを、図３に示した狭帯域干渉波制限装置１０の入出力特性と比較すれば、狭帯域干渉波を除去できる入力レベルが一点だけではなく幅を持って存在することになる。
【００５６】
そして、図５を用いて説明したのと同様に、グラフの下部に示すような拡散信号ｓｓと狭帯域干渉波ｎからなる信号が入力されると、グラフの左に示すような狭帯域干渉波が制限された信号が得られることが分かる。
【００５７】
以上説明したように、狭帯域干渉波制限装置２０においては、拡散信号ｓｓの占有周波数帯域内に混入した狭帯域干渉波ｎのレベルを大きく制限することができる。しかも、レベル制限手段としてリミッタ型の静磁波フィルタ２３を用いているにもかかわらず、従来の狭帯域干渉波制限装置１のように大きな巻き込みが発生することがなく、狭帯域干渉波のレベル制限を行うことによる拡散信号の品質の劣化を防止することができる。さらには、除去できる狭帯域干渉波の入力レベルが一点に限定されていないため、入力信号に含まれる狭帯域干渉波のレベルが信号分配器の前段に設けた増幅率可変アンプが追随できない程度のスピードで多少変化しても、狭帯域干渉波の除去能力が失われることはない。
【００５８】
なお、狭帯域干渉波制限装置２０において、移相器２４を設ける位置は静磁波フィルタ２３の次段に限るものではなく、第１の信号経路ｐ３と第２の信号経路ｐ４を通る信号の位相を互いに逆相にすることのできるものであれば、２つの信号経路のどこにいくつ設けても構わないものである。また、移相器２４の位相シフト量は必ずしも１８０度に設定するものではなく、第１の信号経路ｐ３と第２の信号経路ｐ４の各部品や配線における位相のズレを考慮して、２つの信号経路全体として逆相になるようにその値が決められるものである。また、信号分配器１２や信号合成器１６に、方向性結合器のような自分自身に位相をずらす機能のあるものを使う場合や、静磁波フィルタ２２や２３に入力と出力のトランスデューサの向きを互いに逆にするなどして位相を反転させる機能のあるものを使う場合には、その分も考慮して位相シフト量を設定するものである。そのため、条件によっては単体としての移相器が不要になる場合も考えられるものである。
【００５９】
また、狭帯域干渉波制限装置２０においては、第１の信号経路ｐ３に減衰器２１を設けて、２つの静磁波フィルタ２２と２３に入力される２つの信号の狭帯域干渉波のレベルが異なるようにしている。しかし、例えば方向性結合器のように信号分配器自身に信号ｓ７のレベルと信号ｓ１０のレベルを異ならせることができる機能があれば、単体としての減衰器が不要になる場合も考えられるものである。
【００６０】
また、狭帯域干渉波制限装置２０においては、レベル差作成手段２５の２つの信号経路に設ける静磁波フィルタ２２および２３の飽和レベルが等しいとしていたが、２つの静磁波フィルタの飽和レベルをあらかじめ２〜６ｄＢ異なるものを用いることもできる。例えば、狭帯域干渉波制限装置２０において、静磁波フィルタ２２に静磁波フィルタ２３より飽和レベルが２〜６ｄＢ高いものを用いれば、減衰器２１がなくても２つの信号経路における拡散信号と狭帯域干渉波のレベル差を異なるものにすることができる。ただし、この場合は、信号合成器１６に入力する時点で、２つの信号経路を通る信号に含まれる狭帯域干渉波のレベルを一致させるために、静磁波フィルタ２２と信号合成器１６の間に減衰量が２〜６ｄＢの減衰器が新たに必要になるものである。そして、この場合においても、狭帯域干渉波制限装置２０と同様の効果が得られるものである。
【００６１】
さらに、狭帯域干渉波制限装置２０においては、第１の信号経路ｐ３にのみ減衰器を設けているが、静磁波フィルタ２３に入力される信号のレベル調整をするなど、必要に応じて減衰器を２つの信号経路のどこにいくつ設けても構わないものである。
【００６２】
上記の２つの実施例においては、図３や図６の入出力特性に示すように、静磁波フィルタは一定の入力レベルに対して飽和し、入力レベルがそれ以上になっても出力レベルが変化しないものと見なして考えてきた。例えば静磁波のモードが体積後退静磁波であれば、ほぼこれまで説明した静磁波フィルタのような入出力特性を示す。ところが、、静磁波のモードが表面静磁波の場合には、飽和点を超えた後で入力レベルが高くなるにつれて出力レベルが徐々に低下するという性質を示すことがある。
【００６３】
このような特性の静磁波フィルタを図４に示した狭帯域干渉波制限装置２０において使用すると、狭帯域干渉波制限装置２０の入出力特性は図７に示すようなものになる。ここで、ｃ７は第１の信号経路ｐ３の入出力特性を、ｃ８は第２の信号経路ｐ４の入出力特性を、ｃ９は両者を合成した狭帯域干渉波制限装置２０全体の入出力特性を示している。このように、飽和点を超えた後で入力レベルが高くなるにつれて出力レベルが徐々に低下する静磁波フィルタの場合には、２つの信号経路の入出力特性が一点でしか一致しないため、合成の入出力特性は図１に示した狭帯域干渉波制限装置１０の入出力特性と似た特性になり、狭帯域干渉波を除去できる入力信号のレベルが一点に限定されてしまう。
【００６４】
そこで、図８に、本発明の狭帯域干渉波制限装置のさらに別の実施例を示す。図８においては、図７のような入出力特性の静磁波フィルタを用いても図６に示した狭帯域干渉波制限装置２０の入出力特性と同様の入出力特性が得られるように構成している。図８において、図４と同一もしくは同等の部分には同じ記号を付し、その説明を省略する。
【００６５】
図８において、狭帯域干渉波制限装置３０は、第１の信号経路ｐ３の静磁波フィルタ２２と信号合成器１６の間に減衰器３１が設けられている。そして、減衰器３１と移相器２４と信号合成器１６は信号合成手段３３を構成している。
【００６６】
このように構成された狭帯域干渉波制限装置３０において、減衰器３１は第１の信号経路ｐ３の入出力特性を、出力レベルが減衰器３１の減衰量の分だけ低下するように変化させ、静磁波フィルタ２２の飽和領域において第１の信号経路ｐ３と第２の信号経路ｐ４の入出力特性がほぼ一致するように作用する。
【００６７】
図９に、狭帯域干渉波制限装置３０の入出力特性を示す。ここで、ｃ１０は第１の信号経路ｐ３の入出力特性を、ｃ１１は第２の信号経路ｐ４の入出力特性を、ｃ１２は合成の入出力特性を示している。このように、第１の信号経路ｐ３の入出力特性が出力レベルが低くなる方にシフトしたため、２つの信号経路の入出力特性が、入力レベルが−１４ｄＢｍ以上の領域においてほぼ一致し、図６に示した狭帯域干渉波制限装置２０の入出力特性と似た特性になり、狭帯域干渉波を除去できる入力レベルが一点ではなく幅を持って存在することになる。
【００６８】
その結果、狭帯域干渉波制限装置３０においては、狭帯域干渉波制限装置２０と同様の効果を得ることができる。
【００６９】
図１０に、本発明の狭帯域干渉波制限装置のさらに別の実施例を示す。図１０において、図１と同一もしくは同等の部分には同じ記号を付し、その説明を省略する。
【００７０】
図１０において、狭帯域干渉波制限装置８０は、信号分配手段である信号分配器１２の一方の出力と信号合成器１６の間にレベル制限手段であるリミッタ型の静磁波フィルタ８１を接続し、信号分配器１２の他方の出力と減衰器１４の間にレベル強調手段であるエンハンサ型の静磁波フィルタ８２を接続して構成されている。このうち、信号分配器１２から静磁波フィルタ８１を経由して信号合成器１６に至る信号経路を第１の信号経路ｐ５、同じく静磁波フィルタ８２と減衰器１４と移相器１５を経由する信号経路を第２の信号経路ｐ６とする。そして、リミッタ型の静磁波フィルタ８１およびエンハンサ型の静磁波フィルタ８２は、内部に２つの信号経路を有するレベル差作成手段８３を構成している。なお、静磁波フィルタ８１の基本構成は、図２７に示した従来の狭帯域干渉波制限装置１におけるリミッタ型の静磁波フィルタ４と基本的に同じである。
【００７１】
ここで、図１１に、エンハンサ型の静磁波フィルタ８２の構成を示す。図１１において、図２７と同一もしくは同等の部分には同じ記号を付し、その説明を省略する。図１１において、静磁波フィルタ８２は、ＹＩＧ薄膜７上に配置された１つのトランスデューサ８４から構成されている。ここで、トランスデューサ８４の一端は信号入力端子８４ｉｎに接続され、他端は信号出力端子８４ｏｕｔに接続されている。
【００７２】
このように構成された静磁波フィルタ８２において、信号入力端子８４ｉｎから入力された信号がトランスデューサ８４に加えられると、ＹＩＧ薄膜７に静磁波が励起される。励起された静磁波はトランスデューサ８４から離れる方向に伝搬され、減衰、消滅する。このとき、トランスデューサ８４から励起される静磁波は、静磁波フィルタ８３の飽和レベル以下の値に制限され、それ以上のレベルの信号に対応する静磁波は励起されない。そのため、静磁波に変換されなかった信号は信号出力端子８４ｏｕｔに出力される。すなわち、静磁波フィルタ８２は、帯域内において、その飽和レベル以下の振幅を持つ信号を静磁波に変換して減衰させることによって抑圧し、結果的に飽和レベル以上のレベルの信号を周波数選択的に強調する機能を持つ。言い換えれば、周波数軸上で静磁波フィルタ８２の飽和レベル以下になる周波数の信号を抑圧することができ、逆に、静磁波フィルタ８２の飽和レベル以上になる周波数の信号に対してはレベルの抑圧は行われないため、結果的に飽和レベル以上の周波数の信号が強調される。なお、静磁波フィルタ８２には、周波数選択的なレベル強調以外に、帯域全体に渡る挿入損失もあり、その分だけ周波数帯域全体で減衰する。
【００７３】
ここで、図１２に、狭帯域干渉波制限装置８０の各部に流れる信号の周波数特性を示し、図１０にこれを併用して狭帯域干渉波制限装置８０の動作を説明する。なお、図１２において、グラフの縦軸の信号レベルはｄＢ表示している。
【００７４】
まず、図１２（ａ）に、狭帯域干渉波制限装置８０の入力端子１１に入力される信号ｓ１３の周波数特性を示す。図１２（ａ）に示すように、入力端子１１にはレベルが低く、広帯域に広がった拡散信号ｓｓが入力される。そして、拡散信号ｓｓの占有周波数帯域内には、拡散信号ｓｓよりレベルの高い狭帯域干渉波ｎが混入している。ここで、狭帯域干渉波ｎと拡散信号ｓｓのレベル差はｄ５となっている。
【００７５】
入力端子１１に入力された信号ｓ１３は信号分配器１２で２等分され、一方の出力から信号ｓ１４として、他方の出力から信号ｓ１６として出力される。図１２（ｂ）に、信号ｓ１４およびｓ１６の周波数特性を示す。なお、図１２（ｂ）〜（ｅ）においては、拡散信号ｓｓと狭帯域干渉波ｎについて符号を示すことは図面が煩雑になるため符号表示を省略する。図１２（ｂ）において、拡散信号ｓｓと狭帯域干渉波ｎは２等分された分だけ、すなわち、少なくとも３ｄＢはレベルダウンしている。ただし、狭帯域干渉波ｎと拡散信号ｓｓのレベル差はｄ５のまま変化していない。
【００７６】
次に、第１の信号経路ｐ５においては、信号ｓ１４はリミッタ型の静磁波フィルタ８１に入力される。静磁波フィルタ８１においては、その飽和レベルｒが信号ｓ１４の狭帯域干渉波ｎのレベルより少し低くなるように設定されている。逆に言えば、信号分配器１２に入力される信号ｓ１３は、静磁波フィルタ８１に入力される段階で狭帯域干渉波ｎのレベルが飽和レベルｒよりすこし大きくなるように、増幅率可変アンプなどであらかじめレベル調整しておく必要がある。図１２（ｂ）において、静磁波フィルタ８１の飽和レベルｒを一点鎖線で示している。そして、静磁波フィルタ８１の飽和レベルｒと拡散信号ｓｓのレベル差はｄ５より小さいｄ６となっている。
【００７７】
静磁波フィルタ８１においては、狭帯域干渉波ｎが飽和レベルｒまで制限され、出力される。図１２（ｃ）に、静磁波フィルタ８１から出力された信号ｓ１５の周波数特性を示す。図１２（ｃ）に示すように、静磁波フィルタ８１による狭帯域干渉波ｎのレベル制限によって、狭帯域干渉波ｎと拡散信号ｓｓのレベル差はｄ６となっている。このとき、静磁波フィルタ８１で制限される狭帯域干渉波ｎのレベル差が狭帯域干渉波ｎの全体のレベルに対して比較的小さいため、拡散信号ｓｓには巻き込みはほとんど発生しない。なお、図１２（ｃ）においては、拡散信号ｓｓのレベルが図１２（ｂ）におけるよりも低下しているが、これは静磁波フィルタ８１に周波数に関わらず存在する挿入損失のためである。
【００７８】
また、第２の信号経路ｐ６おいては、信号ｓ１６はエンハンス型の静磁波フィルタ８２に入力される。図１２（ｂ）において、静磁波フィルタ８２の飽和レベルｒを一点鎖線で示している。ここでは、静磁波フィルタ８２の飽和レベルｒは静磁波フィルタ８１の飽和レベルｒと同じ値に設定されている。
【００７９】
静磁波フィルタ８２においては、レベルが飽和レベルｒ以下になる拡散信号ｓｓが抑圧され、出力される。図５（ｄ）に、静磁波フィルタ８２から出力された信号ｓ１７の周波数特性を示す。図１２（ｄ）に示すように、静磁波フィルタ８２による拡散信号ｓｓの抑圧によって、狭帯域干渉波ｎと拡散信号ｓｓのレベル差はｄ５より大きく、ｄ６よりさらに大きいｄ７となっている。このとき、静磁波フィルタ８２の飽和レベルｒより高い狭帯域干渉波ｎのレベルが狭帯域干渉波ｎの全体のレベルに対して比較的小さいため、拡散信号ｓｓには巻き込みはほとんど発生しない。なお、図１２（ｄ）においては、拡散信号ｓｓのレベルが図１２（ｂ）におけるよりも低下しているが、これは静磁波フィルタ８２に周波数に関わらず存在する挿入損失のためである。
【００８０】
静磁波フィルタ８２から出力された信号ｓ１７は、減衰器１４に入力され、信号ｓ１７の狭帯域干渉波ｎのレベルが信号ｓ１５における狭帯域干渉波ｎのレベルに一致するように減衰される。図１２（ｅ）に、減衰器１４から出力され移相器１５を通過した信号ｓ１８の周波数特性を示す。図１２（ｅ）に示すように、信号ｓ１８は減衰器１４によって全体的に減衰され、信号ｓ１８の狭帯域干渉波ｎのレベルは信号ｓ１５の狭帯域干渉波のレベルと一致している。但し、狭帯域干渉波ｎと拡散信号ｓｓのレベル差はｄ７のまま変化していない。なお、移相器１５では位相がシフトされるだけなので移相器１５による周波数特性の変化はなく、移相器１５を通過した信号ｓ１８の周波数特性は、減衰器１４から出力される信号の周波数特性と同じである。
【００８１】
減衰器１４から出力された信号ｓ１８は移相器１５に入力され、移相器１５によって、第２の信号経路ｐ６を通って信号合成器１６に入力される信号ｓ１８の位相が、第１の経路ｐ５を通って信号合成器１６に入力される信号ｓ１５の位相に対して逆相になるように位相シフトされる。
【００８２】
そして、第１の信号経路ｐ５を通ってきた信号ｓ１５と第２の信号経路ｐ６を通ってきた信号ｓ１８は、信号合成器１６で互いに対等に合成される。このとき、信号ｓ１５と信号ｓ１８では、狭帯域干渉波ｎが同じレベルで、しかも位相が互いに逆相になっているために、理想的には完全に打ち消し合う。少なくとも十分に低いレベルになる。一方、信号ｓ１５の拡散信号ｓｓと信号ｓ１８の拡散信号ｓｓは、互いにレベルが大きく異なるため、たとえ位相が互いに逆相であってもほとんど打ち消し合うことはなく、信号ｓ１５における拡散信号ｓｓがほぼそのままのレベルで出力される。すなわち、拡散信号ｓｓの減衰は少ない。図１２（ｆ）に、信号合成器１６から出力される信号ｓ１９の周波数特性を示す。図１２（ｆ）に示すように、拡散信号ｓｓはほぼそのままのレベルで残るにも関わらず、狭帯域干渉波ｎの存在していた周波数の信号はなくなる。このようにして、拡散信号ｓｓから狭帯域干渉波ｎが制限される。
【００８３】
以上説明したように、狭帯域干渉波制限装置８０においては、拡散信号ｓｓの占有周波数帯域内に混入した狭帯域干渉波ｎのレベルを大きく制限することができる。しかも、レベル制限手段やレベル強調手段としてリミッタ型の静磁波フィルタ８１やエンハンサ型の静磁波フィルタ８２を用いているにもかかわらず、従来の狭帯域干渉波制限装置１のように大きな巻き込みが発生することがなく、狭帯域干渉波ｎのレベル制限を行うことによる拡散信号ｓｓの品質の劣化を防止することができる。さらに、静磁波フィルタ８１や８２における狭帯域干渉波ｎの制限量や強調量を大きくしなくても、両者を組み合わせることによって２つの信号経路における狭帯域干渉波ｎと拡散信号ｓｓのレベル差が大きくなる。これによって、両者を合成するときの拡散信号どうしのレベル差が大きくなるため、狭帯域干渉波ｎを制限するときの拡散信号ｓｓの減衰を少なくすることができる。
【００８４】
なお、狭帯域干渉波制限装置８０において、移相器１５を設ける位置は減衰器１４の次段に限るものではなく、第１の信号経路ｐ５と第２の信号経路ｐ６を通る信号の位相を互いに逆相にすることのできるものであれば、２つの信号経路のどこにいくつ設けても構わないものである。また、移相器１５の位相シフト量は必ずしも１８０度に設定するものではなく、第１の信号経路ｐ５と第２の信号経路ｐ６の各部や配線における位相のズレを考慮して、２つの信号経路全体として逆相になるようにその値が決められるものである。また、信号分配器１２や信号合成器１６に、方向性結合器のような自分自身に位相をずらす機能のあるものを使う場合や、静磁波フィルタ８１に入力と出力のトランスデューサの向きを互いに逆にするなどして位相を反転させる機能のあるものを使う場合には、その分も考慮して位相シフト量を設定するもので、条件によっては単体としての移相器が不要になる場合も考えられるものである。
【００８５】
また、狭帯域干渉波制限装置８０においては、第２の信号経路ｐ６に減衰器１４を設けて、信号合成器１６に入力される２つの信号の狭帯域干渉波のレベルが一致するようにしている。しかし、例えば信号合成器自身に信号ｓ１８のレベルを信号ｓ１５のレベルより下げて合成できる機能があれば、単体としての減衰器が不要になる場合も考えられるものである。
【００８６】
また、例えば静磁波フィルタ８１や静磁波フィルタ８２の条件によっては信号ｓ１５に含まれる狭帯域干渉波ｎのレベルの方が信号ｓ１７に含まれる狭帯域干渉波ｎのレベルより高くなる場合も考えられ、その場合には静磁波フィルタ８１と信号合成器１６の間に減衰器が挿入される。すなわち、２つの信号経路に設けられる減衰器は信号合成器１６に入力される２つの信号の狭帯域干渉波ｎのレベルを一致させるために用いられるものであり、静磁波フィルタ８１や静磁波フィルタ８２の前段も含めて、必要に応じて２つの信号経路のどこにいくつ挿入されていても構わないものである。
【００８７】
また、狭帯域干渉波制限装置８０においては、レベル強調手段としてエンハンサ型の静磁波フィルタ８３を用いたが、これに限定されるものではなく、特開平４−１２３５０２号公報に開示されているような、リミッタ型の静磁波フィルタを組み合わせて構成されたレベル強調手段（この公報の場合は信号と干渉波（雑音）の立場が逆であるため、Ｓ／Ｎエンハンサと呼んでいる）を用いても構わないものである。
【００８８】
なお、上記の各実施例においては、レベル差作成手段の２つの信号経路におけるレベル制限手段として１つのリミッタ型の静磁波フィルタを用いているが、レベル制限手段を複数のリミッタ型の静磁波フィルタを用いて構成しても構わない。
【００８９】
図１３に、レベル制限手段の別の実施例を示す。図１３において、レベル制限手段４０は、リミッタ型の静磁波フィルタ４１と、増幅器４２と、リミッタ型の静磁波フィルタ４３と、増幅器４４と、リミッタ型の静磁波フィルタ４５を直列に接続して構成されている。ここで、静磁波フィルタ４１、４３、４５の飽和レベルはすべて等しいものとする。
【００９０】
このように構成されたレベル制限手段４０において、拡散信号の占有周波数帯域に狭帯域干渉波の混入した信号が入力されると、まず静磁波フィルタ４１で飽和レベル以上の狭帯域干渉波が制限される。次に、増幅器４２によって、信号の中の狭帯域干渉波のレベルが静磁波フィルタ４３の飽和レベルより少し高いレベルまで増幅される。次に、再び静磁波フィルタ４３で飽和レベル以上の狭帯域干渉波が制限される。次に、再び増幅器４４によって、信号の中の狭帯域干渉波のレベルが静磁波フィルタ４５の飽和レベルより少し高いレベルまで増幅される。最後に、静磁波フィルタ４５で飽和レベル以上の狭帯域干渉波が制限される。すなわち、狭帯域干渉波のレベル制限を３つの静磁波フィルタ４１、４３、４５で３段階に分けて少しずつ実施していることになる。
【００９１】
狭帯域干渉波のレベル制限を一度に行わずに３度に分けて行うことによって、それぞれの静磁波フィルタで制限する狭帯域干渉波のレベル差をさらに小さくすることができる。静磁波フィルタで制限する狭帯域干渉波のレベル差が小さくなるということは、それによる巻き込みも小さくなるということを意味している。その結果、レベル制限手段４０全体での巻き込みの発生を小さくすることができる。
【００９２】
このように、３つのリミッタ型の静磁波フィルタを間に増幅器を挟んで直列に接続してレベル制限手段を構成することによって、レベル制限手段における巻き込みの発生をより少なくすることができる。
【００９３】
また、図１４に、レベル制限手段のさらに別の実施例を示す。図１４において、レベル制限手段５０は、リミッタ型の静磁波フィルタ５１、５２、５３を直列に接続して構成されている。ここで、静磁波フィルタ５１、５２、５３の飽和レベルは順に低くなっているものとする。
【００９４】
このように構成されたレベル制限手段５０において、拡散信号の占有周波数帯域に狭帯域干渉波の混入した信号が入力されると、まず静磁波フィルタ５１で飽和レベル以上の狭帯域干渉波が制限される。このとき出力される信号の狭帯域干渉波のレベルは静磁波フィルタ５２の飽和レベルより少し高くなるように設定されている。次に、静磁波フィルタ５２で飽和レベル以上の狭帯域干渉波が制限される。このとき出力される信号の狭帯域干渉波のレベルは静磁波フィルタ５３の飽和レベルより少し高くなるように設定されている。最後に、静磁波フィルタ５３で飽和レベル以上の狭帯域干渉波が制限される。すなわち、狭帯域干渉波のレベル制限を３つの静磁波フィルタ５１、５２、５３で３段階に分けて少しずつ実施していることになる。
【００９５】
狭帯域干渉波のレベル制限を一度に行わずに３度に分けて行うことによって、それぞれの静磁波フィルタで制限する狭帯域干渉波のレベル差をさらに小さくすることができる。静磁波フィルタで制限する狭帯域干渉波のレベル差が小さくなるということは、それによる巻き込みも小さくなるということを意味している。その結果、レベル制限手段５０全体での巻き込みの発生を小さくすることができる。
【００９６】
このように、３つの飽和レベルの異なる静磁波フィルタを直列に接続してレベル制限手段を構成することによって、レベル制限手段における巻き込みの発生をより少なくすることができる。
【００９７】
なお、上記の２つのレベル制限手段４０および５０では３つの静磁波フィルタを用いたが、２つ以上いくつの静磁波フィルタを用いて構成しても同様の効果が得られるものである。
【００９８】
なお、上記の各実施例においてはレベル制限手段としてリミッタ型の静磁波フィルタを用いているが、レベル制限手段としては別の構成であっても構わない。
【００９９】
図１５に、本発明の狭帯域干渉波制限装置に用いるレベル制限手段のさらに別の実施例を示す。図１５において、レベル制限手段９０は、入力端子９１と、入力端子９１に接続された第２の信号分配手段である信号分配器９２と、信号分配器９２の一方の出力に接続されたレベル差変更手段であるリミッタ型の静磁波フィルタ９３と、信号分配器９２の他方の出力に直列に接続された減衰器９４および移相器９５と、静磁波フィルタ９３と移相器９５の両者に接続された信号合成器９６と、信号合成器９６に接続された出力端子９７から構成されている。ここで、減衰器９４と移相器９５と信号合成器９６は第２の信号合成手段９８を構成している。なお、静磁波フィルタ９３の基本構成は、図２７に示した従来の狭帯域干渉波制限装置１におけるリミッタ型の静磁波フィルタ４と基本的に同じで、同様の特性を有する。
【０１００】
ここで、図１６に、レベル制限手段９０の各部に流れる信号の周波数特性を示し、これを併用してレベル制限手段９０の動作を説明する。なお、図１６において、グラフの縦軸の信号レベルはｄＢ表示している。
【０１０１】
まず、図１６（ａ）に、レベル制限手段９０の入力端子９１から入力される信号ｓ２０の周波数特性を示す。図１６（ａ）に示すように、入力端子９１にはレベルが低く、広帯域に広がった拡散信号ｓｓが入力される。そして、拡散信号ｓｓの占有周波数帯域内には、拡散信号ｓｓよりレベルの高い狭帯域干渉波ｎが混入している。ここで、狭帯域干渉波ｎと拡散信号ｓｓのレベル差はｄ８となっている。
【０１０２】
入力端子９１に入力された信号ｓ２０は第２の信号分配手段である信号分配器９２で２等分され、一方の出力から信号ｓ２１として、他方の出力から信号ｓ２３として出力される。図１６（ｂ）に、信号ｓ２１およびｓ２３の周波数特性を示す。なお、図１６（ｂ）〜（ｅ）においては、拡散信号ｓｓと狭帯域干渉波ｎについて符号を示すことは図面が煩雑になるため符号表示を省略する。図１６（ｂ）において、拡散信号ｓｓと狭帯域干渉波ｎは２等分された分だけ、すなわち、少なくとも３ｄＢは全体としてレベルダウンしている。ただし、狭帯域干渉波ｎと拡散信号ｓｓのレベル差はｄ８のまま変化していない。
【０１０３】
信号ｓ２１はレベル差変更手段であるリミッタ型の静磁波フィルタ９３に入力される。静磁波フィルタ９３においては、その飽和レベルｒが信号ｓ２１の狭帯域干渉波ｎのレベルより少し低くなるように設定されている。逆に言えば、信号分配器９２に入力される信号ｓ２０は、静磁波フィルタ９３に入力される段階で狭帯域干渉波ｎのレベルが飽和レベルｒより少し大きくなるように、増幅率可変アンプなどであらかじめレベル調整しておく必要がある。図１６（ｂ）において、静磁波フィルタ９３の飽和レベルｒを一点鎖線で示している。そして、静磁波フィルタ９３の飽和レベルｒと拡散信号ｓｓのレベル差はｄ８より小さいｄ９となっている。
【０１０４】
静磁波フィルタ９３においては、狭帯域干渉波ｎが飽和レベルｒまで制限されて出力される。図１６（ｃ）に、静磁波フィルタ９３から出力された信号ｓ２２の周波数特性を示す。図１６（ｃ）に示すように、静磁波フィルタ９３による狭帯域干渉波ｎのレベル制限によって、狭帯域干渉波ｎと拡散信号ｓｓのレベル差はｄ９となっている。このとき、静磁波フィルタ９３で制限される狭帯域干渉波ｎのレベル差が狭帯域干渉波ｎの全体のレベルに対して比較的小さいため、拡散信号ｓｓには巻き込みはほとんど発生しない。なお、図１６（ｃ）においては、拡散信号ｓｓのレベルが図１６（ｂ）におけるよりも低下しているが、これは静磁波フィルタ９３に周波数に関わらず存在する挿入損失のためである。このようにして、静磁波フィルタ９３においては、入力信号と出力信号の間で、狭帯域干渉波ｎと拡散信号ｓｓの間のレベル差が変更される。
【０１０５】
一方、信号ｓ２３は減衰器９４に入力され、狭帯域干渉波ｎのレベルが信号ｓ２２に含まれる狭帯域干渉波ｎのレベルより少し低くなるように、すなわち、狭帯域干渉波と拡散信号のレベル差の大きい方の信号の狭帯域干渉波のレベルを狭帯域干渉波と拡散信号のレベル差の小さい方の狭帯域干渉波のレベルより少し低くするように減衰される。このとき、狭帯域干渉波ｎだけでなく、拡散信号ｓｓも同じだけ減衰される。さらに、移相器９５によって信号ｓ２２の位相に対して逆相になるように位相シフトされる。図１６（ｄ）に、移相器９５から出力された信号ｓ２４の周波数特性を示す。図１６（ｄ）に示すように、信号ｓ２４の狭帯域干渉波ｎのレベルは信号ｓ２２の狭帯域干渉波ｎのレベルより少し低くなっている。なお、狭帯域干渉波ｎと拡散信号ｓｓのレベル差はｄ８のまま変化していない。その結果、信号ｓ２２と信号ｓ２４の間では、狭帯域干渉波ｎは信号ｓ２２より信号ｓ２４の方が少しレベルが低くなり、拡散信号ｓｓは信号ｓ２２より信号ｓ２４の方が狭帯域干渉波ｎの場合よりもさらにレベルが低くなっている。
【０１０６】
そして、信号ｓ２２と信号ｓ２４は、信号合成器９６で互いに対等に合成される。このとき、信号ｓ２４の狭帯域干渉波ｎの方が信号ｓ２２の狭帯域干渉波ｎより少しレベルが低く、しかも位相が互いに逆相になっているために、信号ｓ２２の狭帯域干渉波ｎが信号ｓ２４の狭帯域干渉波ｎによって部分的に打ち消されることによって減衰する。例えば信号ｓ２２と信号ｓ２４の狭帯域干渉波ｎのレベル差が２ｄＢであれば、合成後の信号ｓ２５の狭帯域干渉波ｎのレベルは信号ｓ２２の狭帯域干渉波ｎのレベルより約４．３３ｄＢ低くなる。
【０１０７】
一方、信号ｓ２４の拡散信号ｓｓは信号ｓ２２の拡散信号ｓｓよりさらにレベルが低く、しかも位相が互いに逆相になっているために、信号ｓ２２の拡散信号ｓｓも信号ｓ２４の拡散信号ｓｓによって部分的に打ち消されることによって減衰する。ただ、信号ｓ２４の拡散信号ｓｓのレベルは信号ｓ２２の拡散信号ｓｓのレベルに対して、狭帯域干渉波ｎ同士のレベル差以上に低いために、信号ｓ２２の拡散信号ｓｓは狭帯域干渉波ｎほどには減衰しない。例えば、信号ｓ２２と信号ｓ２４の拡散信号ｓｓのレベル差が６ｄＢであれば、合成後の信号ｓ２５の拡散信号ｓｓのレベルは信号ｓ３の拡散信号ｓｓのレベルより約１．２５ｄＢしか低くならない。
【０１０８】
その結果、信号ｓ２５の狭帯域干渉波ｎと拡散信号ｓｓのレベル差は、信号ｓ２２の狭帯域干渉波ｎと拡散信号ｓｓのレベル差より小さくなる。図１６（ｅ）に、信号合成器９６から出力される信号ｓ２５の周波数特性を示す。図１６（ｅ）に示すように、信号ｓ２５の狭帯域干渉波ｎと拡散信号ｓｓのレベル差は、信号ｓ２２の狭帯域干渉波ｎと拡散信号ｓｓのレベル差に対して縮小している。しかしながら、信号ｓ２５の拡散信号ｓｓのレベルは信号ｓ２２の拡散信号ｓｓのレベルに対してあまり減衰していない。このようにして、レベル制限手段９０においては、入力信号と出力信号の間で、拡散信号の減衰を小さく保ったまま、狭帯域干渉波ｎのレベルが制限される。
【０１０９】
そして、このように構成されたレベル制限手段であっても、狭帯域干渉波制限装置１０や２０や３０におけるリミッタ型の静磁波フィルタの代わりに用いることができるものである。
【０１１０】
なお、レベル制限手段９０においては、レベル変更手段としてリミッタ型の静磁波フィルタ９３を用いたが、レベル変更手段としてエンハンサ型の静磁波フィルタを用いても構わない。その場合は、エンハンサ型の静磁波フィルタを通過した信号の方が狭帯域干渉波と拡散信号のレベル差が大きくなるため、減衰器９４では通過する信号の狭帯域干渉波のレベルがエンハンサ型の静磁波フィルタから出力される信号の狭帯域干渉波のレベルより少し高くなるように減衰する必要がある。
【０１１１】
図１７に、本発明の狭帯域干渉波制限装置に用いるレベル制限手段のさらに別の実施例を示す。図１７において、図１５と同一もしくは同等の部分には同じ記号を付し、その説明を省略する。
【０１１２】
図１７において、レベル制限手段１００は、入力端子９１と信号分配器９２の間には第２の信号分配手段である信号分配器１０１が設けられ、入力端子９１が信号分配器１０１の入力に、信号分配器１０１の一方の出力が信号分配器９２に接続されている。また、信号合成器９６と出力端子９７の間にも第２の信号合成手段である信号合成器１０４が設けられ、信号合成器９６の出力が信号合成器１０４の一方の入力に、信号合成器１０４の出力が出力端子９７に接続されている。そして、信号分配器１０１の他方の出力と信号合成器１０４の他方の入力の間には、減衰器１０２と移相器１０３が直列に接続されている。ここで、減衰器１０２と移相器１０３と信号合成器１０４は第２の信号合成手段１０５を構成している。
【０１１３】
ここで、図１８に、レベル制限手段１００の各部に流れる信号の周波数特性を示し、これを併用してレベル制限手段１００の動作を説明する。なお、図１８において、グラフの縦軸の信号レベルはｄＢ表示している。
【０１１４】
まず、図１８（ａ）に、レベル制限手段１００の入力端子９１から入力される信号ｓ２６の周波数特性を示す。図１８（ａ）に示すように、入力端子９１にはレベルが低く、広帯域に広がった拡散信号ｓｓが入力される。そして、拡散信号ｓｓの占有周波数帯域内には、拡散信号ｓｓよりレベルの高い狭帯域干渉波ｎが混入している。ここで、狭帯域干渉波ｎと拡散信号ｓｓのレベル差はｄ１１となっている。
【０１１５】
入力端子９１に入力された信号ｓ２６は第２の信号分配手段である信号分配器１０１で２等分され、一方の出力から信号ｓ２０として、他方の出力から信号ｓ２７として出力される。図１８（ｂ）に、信号ｓ２０およびｓ２７の周波数特性を示す。なお、図１８（ｂ）〜（ｅ）においては、拡散信号ｓｓと狭帯域干渉波ｎについて符号を示すことは図面が煩雑になるため符号表示を省略する。図１８（ｂ）において、拡散信号ｓｓと狭帯域干渉波ｎは２等分された分だけ、すなわち、少なくとも３ｄＢは全体としてレベルダウンしている。ただし、狭帯域干渉波ｎと拡散信号ｓｓのレベル差はｄ１１のまま変化していない。
【０１１６】
信号ｓ２０は信号分配器９２に入力される。ここで、信号分配器９２から信号合成器９６までの構成は、図１５に示したレベル制限手段９０と同一であり、同じ機能を果たす。そのため、信号合成器９６から出力される信号ｓ２５においては、狭帯域干渉波ｎが一定レベルだけ制限されている。図１８（ｃ）に、信号合成器９６から出力された信号ｓ２５の周波数特性を示す。図１８（ｃ）に示すように、狭帯域干渉波ｎと拡散信号ｓｓのレベル差はｄ１１より小さいｄ１２となっている。
【０１１７】
一方、信号ｓ２７は減衰器１０２に入力され、狭帯域干渉波ｎのレベルが信号ｓ２５に含まれる狭帯域干渉波ｎのレベルより少し低くなるように減衰される。このとき、狭帯域干渉波ｎだけでなく、拡散信号ｓｓも同じだけ減衰される。さらに、移相器１０３によって信号ｓ２５の位相に対して逆相になるように位相シフトされる。図１８（ｄ）に、移相器１０３から出力された信号ｓ２８の周波数特性を示す。図１８（ｄ）に示すように、信号ｓ２８の狭帯域干渉波ｎのレベルは信号ｓ２５の狭帯域干渉波ｎのレベルより少し低くなっている。なお、狭帯域干渉波ｎと拡散信号ｓｓのレベル差はｄ１１のまま変化していない。その結果、信号ｓ２５と信号ｓ２８の間では、狭帯域干渉波ｎは信号ｓ２５より信号ｓ２８の方が少しレベルが低くなり、拡散信号ｓｓは信号ｓ２５より信号ｓ２８の方が狭帯域干渉波ｎの場合よりもさらにレベルが低くなっている。
【０１１８】
そして、信号ｓ２５と信号ｓ２８は、信号合成器１０４互いに対等に合成される。このとき、信号ｓ２８の狭帯域干渉波ｎの方が信号ｓ２５の狭帯域干渉波ｎより少しレベルが低く、しかも位相が互いに逆相になっているために、信号ｓ２５の狭帯域干渉波ｎが信号ｓ２８の狭帯域干渉波ｎによって部分的に打ち消されることによって減衰する。
【０１１９】
一方、信号ｓ２８の拡散信号ｓｓは信号ｓ２５の拡散信号ｓｓよりさらにレベルが低く、しかも位相が互いに逆相になっているために、信号ｓ２５の拡散信号ｓｓも信号ｓ２８の拡散信号ｓｓによって部分的に打ち消されることによって減衰する。ただ、信号ｓ２８の拡散信号ｓｓのレベルは信号ｓ２５の拡散信号ｓｓのレベルに対して、狭帯域干渉波ｎ同士のレベル差以上に低いために、信号ｓ２５の拡散信号ｓｓは狭帯域干渉波ｎほどには減衰しない。
【０１２０】
その結果、信号ｓ２９の狭帯域干渉波ｎと拡散信号ｓｓのレベル差は、信号ｓ２５の狭帯域干渉波ｎと拡散信号ｓｓのレベル差よりさらに小さくなる。図１８（ｅ）に、信号合成器１０４から出力される信号ｓ２９の周波数特性を示す。図１８（ｅ）に示すように、信号ｓ２９の狭帯域干渉波ｎと拡散信号ｓｓのレベル差は、信号ｓ２５の狭帯域干渉波ｎと拡散信号ｓｓのレベル差に対して縮小している。しかしながら、信号ｓ２９の拡散信号ｓｓのレベルは信号ｓ２５の拡散信号ｓｓのレベルに対してあまり減衰していない。このようにして、レベル制限手段１００においては、入力信号と出力信号の間で、拡散信号の減衰を小さく保ったまま狭帯域干渉波ｎのレベルが制限される。
【０１２１】
ここで、レベル制限手段１００における信号分配器９２から信号合成器９６までの間は、図１５に示したレベル制限手段９０におけるレベル差変更手段である静磁波フィルタ９３と同様に機能する。また、信号分配器１０１および信号合成手段１０５も、レベル制限手段９０における信号分配器９２および信号合成手段９８と同様に機能する。すなわち、レベル制限手段１００はレベル制限手段９０において信号分配手段と信号合成手段の部分を２重に重ねて構成したものと同じになる。このように、レベル制限手段１００においては、信号分配手段と信号合成手段の部分を２重に重ねて構成することによって、入力信号と出力信号の間で拡散信号の減衰を小さく保ったまま、狭帯域干渉波のレベルをレベル制限手段９０よりもさらに制限することができる。
【０１２２】
なお、レベル制限手段１００においては、信号分配手段と信号合成手段の部分を２重に重ねて構成したが、３重以上に重ねて構成しても構わないもので、信号分配手段と信号合成手段の部分を多く重ねるほど狭帯域干渉波のレベルを大きく制限することができるものである。
【０１２３】
また、レベル制限手段１００においては、第２の信号分配手段の部分も２重にしているが、第２の信号分配手段の部分に関しては、何重に重ねる構成であっても、１つの信号分配器で同時に２つ以上に信号を分配する構成としても構わないものである。
【０１２４】
なお、レベル制限手段９０や１００において、移相器９５や１０３を設ける位置は減衰器９４や１０２の次段に限るものではなく、信号合成器９６や１０４に入力される２つの信号の位相を互いに逆相にすることのできるものであれば、回路中のどこにいくつ設けても構わないものである。また、移相器９５や１０３の位相シフト量は必ずしも１８０度に設定するものではなく、信号合成器９６や１０４に入力される２つの信号が全体として逆相になるようにその値が決められるものである。また、信号分配器９２、１０１や信号合成器９６、１０４に、方向性結合器のような自分自身に位相をずらす機能のあるものを使う場合や、静磁波フィルタ９３に入力と出力のトランスデューサの向きを互いに逆にするなどして位相を反転させる機能のあるものを使う場合には、その分も考慮して位相シフト量を設定するものである。そのため、条件によっては単体としての移相器が不要になる場合も考えられるものである。
【０１２５】
また、狭帯域干渉波制限装置９０や１００においては、移相器９５や１０３の前段に減衰器９４や１０２を設けて、信号合成器９６や１０４に入力される２つの信号の狭帯域干渉波のレベルを少しずらすようにしている。しかし、例えば方向性結合器のように信号分配器や信号合成器自身に信号を異なるレベルで分配したり合成したりする機能があれば、単体としての減衰器が不要になる場合も考えられるものである。
【０１２６】
また、狭帯域干渉波制限装置９０や１００においては、移相器９５や１０３の前段に減衰器９４や１０２を設けているが、必要に応じて減衰器を回路中のどこにいくつ設けても構わないものである。
【０１２７】
さらに、図１３および図１４に示した複数の静磁波フィルタを直列に接続したレベル制限手段のように、複数のレベル制限手段９０や１００を直列に接続して構成しても構わないものである。
【０１２８】
そして、レベル制限手段９０や１００で狭帯域干渉波のレベルを十分に制限することができる場合には、信号分配手段や信号合成手段を用いずに、レベル制限手段９０や１００のみを狭帯域干渉波制限装置として用いることもできるものである。
【０１２９】
上記の各実施例に示した狭帯域干渉波制限装置においては、拡散信号の占有周波数帯域内に複数のレベルの異なる狭帯域干渉波が混入した場合には、最大のレベルの狭帯域干渉波のみを制限することができ、それ以外の狭帯域干渉波は制限されずに残ってしまうという問題がある。
【０１３０】
そこで、これに対応するために、図１９に、本発明の狭帯域干渉波制限装置のさらに別の実施例を示す。図１９において、図１と同一もしくは同等の部分には同じ記号を付し、その説明を省略する。
【０１３１】
図１９において、狭帯域干渉波制限装置６０は、信号分配手段６１とレベル差作成手段６２と信号合成手段６３からなる狭帯域干渉波制限ブロック６４と、信号分配手段６５とレベル差作成手段６６と信号合成手段６７からなる狭帯域干渉波制限ブロック６８と、信号分配手段６９とレベル差作成手段７０と信号合成手段７１からなる狭帯域干渉波制限ブロック７２を、入力端子１１と出力端子１７の間に直列に接続して構成されている。ここで、狭帯域干渉波制限ブロック６４、６８、７２は、それぞれ例えば狭帯域干渉波制限装置１０における信号分配手段である信号分配器１２とレベル差作成手段１８と信号合成手段１９と同じものである。なお、図１９には示していないが、各狭帯域干渉波制限ブロックの前段には必要に応じて増幅率可変アンプが設けられる。
【０１３２】
このように構成された狭帯域干渉波制限装置６０において、拡散信号の占有周波数帯域内に複数の狭帯域干渉波が混入した場合、最初の狭帯域干渉波制限ブロック６４で最もレベルの高い狭帯域干渉波が制限され、次の狭帯域干渉波制限ブロック６８で２番目にレベルの高い狭帯域干渉波が制限され、最後の狭帯域干渉波制限ブロック７２で３番目にレベルの高い狭帯域干渉波が制限される。この場合、４番目以降の狭帯域干渉波は制限されずに残るが、これらはもともとレベルの低いものであり、主要な狭帯域干渉波を制限することによって、ある程度は拡散信号の品質の劣化を防止することができる。
【０１３３】
なお、狭帯域干渉波制限装置６０においては３つの狭帯域干渉波制限ブロックを用いたが、２つ以上の狭帯域干渉波制限ブロックを用いて構成すれば同様の効果が得られるものである。
【０１３４】
ところで、上記の各実施例において、狭帯域干渉波を効率よく制限するためには、拡散信号に含まれている狭帯域干渉波のレベルを一定のレベルまで増幅しておく必要がある。その場合には、狭帯域干渉波とともに拡散信号自身も増幅されることになる。しかしながら、狭帯域干渉波のレベルは拡散信号のレベルとは異なり、常に特定のレベルで固定されているということは少なく、状況によって変化するのが普通である。したがって、状況によってレベルの異なる狭帯域干渉波を一定のレベルまで増幅するということは、状況によって増幅後の拡散信号のレベルが一定でなくなるということになる。その結果、例えば、狭帯域干渉波のレベルが低いと増幅率が大きくなるために拡散信号のレベルは高くなり、狭帯域干渉波のレベルが高いと増幅率が小さくなるために拡散信号のレベルは低くなる。
【０１３５】
上記の各実施例のような狭帯域干渉波制限装置においては、拡散信号のレベルは狭帯域干渉波の制限には関与しないため、入力される信号の拡散信号のレベルが異なる場合には、出力される信号の拡散信号のレベルも異なることになる。そして、狭帯域干渉波制限装置から出力される拡散信号のレベルが状況によって異なると、その後の復調回路において入力レベルが不足したり過大になって飽和したりして、信号処理ができなくなる可能性がある。
【０１３６】
そこで、これに対応するために、図２０に、本発明の狭帯域干渉波制限装置のさらに別の実施例を示す。図２０において、図１と同一もしくは同等の部分には同じ記号を付し、その説明を省略する。
【０１３７】
図２０において、狭帯域干渉波制限装置１１０の入力端子１１と信号分配手段（信号分配器）１２の間には、第１のＡＧＣ  （  Ａｕｔｏｍａｔｉｃ    Ｇａｉｎ  Ｃｏｎｔｒｏｌ）アンプ１１１と信号分配器１１２が順に接続されている。信号分配器１１２の一方の出力は信号分配手段１２に接続され、他方の出力は検波回路１１３を介して電圧変換手段１１４に接続されている。そして、電圧変換手段１１４の出力は第１のＡＧＣアンプ１１１の制御端子に接続されている。
【０１３８】
また、信号合成手段１９と出力端子１７の間には、第２のＡＧＣアンプ１１５と信号分配器１１６が順に接続されている。信号分配器１１６の一方の出力は出力端子１７に接続され、他方の出力は検波回路１１７を介して電圧変換手段１１８に接続されている。そして、電圧変換手段１１８の出力は第２のＡＧＣアンプ１１５の制御端子に接続されている。
【０１３９】
このように構成された狭帯域干渉波制限装置１１０において、まず、検波器１１３は入力端子１１から入力された拡散信号に含まれている狭帯域干渉波のレベルを検出する。そして、検出した狭帯域干渉波のレベルを電圧変換手段１１４を介して第１のＡＧＣアンプ１１１の制御端子にフィードバックさせることによって、信号分配手段１２に入力される拡散信号の狭帯域干渉波のレベルを一定にしている。
【０１４０】
次に、検波器１１７は狭帯域干渉波の除去された拡散信号のレベルを検出する。そして、検出した拡散信号のレベルを電圧変換手段１１８を介して第２のＡＧＣアンプ１１５の制御端子にフィードバックさせることによって、出力端子１７から出力される拡散信号のレベルを一定にしている。
【０１４１】
このように、信号分配手段１２の前段に狭帯域干渉波のレベルを一定にするための第１のＡＧＣアンプ１１１を設けるとともに、信号合成手段１９の後段に拡散信号のレベルを一定にするための第２のＡＧＣアンプ１１５を設けることによって、狭帯域干渉波制限装置１１０から出力される拡散信号のレベルを一定にすることができ、復調回路における不都合を無くすことができる。
【０１４２】
ところで、上記の狭帯域干渉波制限装置１１０において、狭帯域干渉波が必ずしも完全に制限できずに残ってしまう可能性がある。また、拡散信号に複数のレベルの異なる狭帯域干渉波が混入している場合には、最もレベルの高い狭帯域干渉波のみが制限されて、それ以外の狭帯域干渉波が残ってしまう可能性がある。そのような場合には、検波器１１７において、狭帯域干渉波を含んだ拡散信号のレベルが検出されるために、正確な拡散信号のレベルの検出ができず、第２のＡＧＣアンプ１１５による拡散信号のレベルの安定化もできなくなる。その結果、出力端子１７から出力される拡散信号のレベルを一定にすることができなくなる可能性がある。
【０１４３】
そこで、これに対応するために、図２１に、本発明の狭帯域干渉波制限装置のさらに別の実施例を示す。図２１において、図２０と同一もしくは同等の部分には同じ記号を付し、その説明を省略する。
【０１４４】
図２１において、狭帯域干渉波制限装置１２０の信号合成手段１９と出力端子１７の間には第２のＡＧＣアンプ１２１のみが接続されている。そして、電圧変換手段１１４の出力は第１のＡＧＣアンプ１１１の制御端子だけではなく、第２のＡＧＣアンプ１２１の制御端子にも接続されている。
【０１４５】
ここで、第２のＡＧＣアンプ１２１は、第１のＡＧＣアンプ１１１とは逆の増幅特性を持ったＡＧＣアンプである。すなわち、電圧変換手段１１４の出力が大きくなって第１のＡＧＣアンプ１１１の増幅率が大きくなる場合には、第２のＡＧＣアンプ１２１の増幅率は逆に小さくなる。逆に、電圧変換手段１１４の出力が小さくなって第１のＡＧＣアンプ１１１の増幅率が小さくなる場合には、第２のＡＧＣアンプ１２１の増幅率は大きくなる。このようにして、第１のＡＧＣアンプ１１１と第２のＡＧＣアンプ１２１の増幅率の和が一定となるように制御されている。
【０１４６】
このように構成された狭帯域干渉波制限装置１２０においては、第２のＡＧＣアンプ１２１の増幅率が、第１のＡＧＣアンプ１１１の増幅率に連動、すなわち、第１のＡＧＣアンプ１１１の増幅率から決定されている。しかも、第１のＡＧＣアンプ１１１の増幅率と第２のＡＧＣアンプ１２１の増幅率の和が一定となっている。そのために、信号合成手段１９から出力される拡散信号に狭帯域干渉波が残っていても、それに影響されることなく、拡散信号のレベルを一定にすることができる。
【０１４７】
また、拡散信号のレベルを一定にする段階で、拡散信号のレベルの検出を行っていないために、第２のＡＧＣアンプ１２１の増幅率制御が高速になるというメリットもある。
【０１４８】
図２２に、本発明の狭帯域干渉波制限装置のさらに別の実施例を示す。図２２において、図２０と同一もしくは同等の部分には同じ記号を付し、その説明を省略する。
【０１４９】
図２２において、狭帯域干渉波制限装置１３０の信号合成手段１９と出力端子１７の間には第２のＡＧＣアンプ１３１が接続されている。そして、電圧変換手段１１４の出力は第１のＡＧＣアンプ１１１の制御端子だけではなく、電圧変換手段１３２を介して第２のＡＧＣアンプ１３１の制御端子にも接続されている。
【０１５０】
ここで、電圧変換手段１３２は入力された電圧を一定のレベルを基準にして反転して出力する機能を持つ。すなわち、電圧変換手段１３２に入力される電圧が大きくなると、電圧変換手段１３２から出力される電圧は逆に小さくなるという性質を持っている。そのため、第２のＡＧＣアンプ１３１は、第１のＡＧＣアンプ１１１と同じ増幅特性を持ったＡＧＣアンプで構わない。このようにして、第１のＡＧＣアンプ１１１と第２のＡＧＣアンプ１３１の増幅率の和は一定となるように制御されている。
【０１５１】
このように構成された狭帯域干渉波制限装置１３０においても、第２のＡＧＣアンプ１３１の増幅率が、第１のＡＧＣアンプ１１１の増幅率に連動しているとともに、その和が一定となっているために、信号合成手段１９から出力される拡散信号に狭帯域干渉波が残っていても、それに影響されることなく、拡散信号のレベルを一定にすることができる。
【０１５２】
また、第２のＡＧＣアンプとして逆の増幅特性のＡＧＣアンプを用意する必要がないために、同じ特性のＡＧＣアンプを２個使うことができ、低コスト化を図ることができる。
【０１５３】
図２３に、本発明の狭帯域干渉波制限装置のさらに別の実施例を示す。図２３において、図２０と同一もしくは同等の部分には同じ記号を付し、その説明を省略する。
【０１５４】
図２３において、狭帯域干渉波制限装置１４０の信号合成手段１９と出力端子１７の間には第２のＡＧＣアンプ１４１が接続されている。そして、検波器１１３の出力が電圧変換手段１１４だけではなく、電圧変換手段１４２にも接続されている。さらに、電圧変換手段１４２の出力は第２のＡＧＣアンプ１４１の制御端子に接続されている。
【０１５５】
ここで、電圧変換手段１４２は検波器１１３から入力された信号を電圧変換して第２のＡＧＣアンプ１４１の増幅率を制御する。そして、第１のＡＧＣアンプ１１１と第２のＡＧＣアンプ１４１の増幅率の和は一定となるように制御されている。
【０１５６】
このように構成された狭帯域干渉波制限装置１４０においても、第２のＡＧＣアンプ１４１の増幅率が、第１のＡＧＣアンプ１１１の増幅率に連動しているとともに、その和が一定となっているために、信号合成手段１９から出力される拡散信号に狭帯域干渉波が残っていても、それに影響されることなく、拡散信号のレベルを一定にすることができる。
【０１５７】
図２４に、本発明の狭帯域干渉波制限装置のさらに別の実施例を示す。図２４において、図２０と同一もしくは同等の部分には同じ記号を付し、その説明を省略する。
【０１５８】
図２４において、狭帯域干渉波制限装置１５０の信号合成手段１９と出力端子１７の間には第２のＡＧＣアンプ１５１が接続されている。そして、検波器１１３の出力はＡ／Ｄ変換器１５２を介してマイクロプロセッサ１５３に接続されている。マイクロプロセッサ１５３は２つの出力を有し、一方の出力はＤ／Ａ変換器１５４を介して第１のＡＧＣアンプ１１１の制御端子に接続され、他方の出力はＤ／Ａ変換器１５５を介して第２のＡＧＣアンプ１５１の制御端子に接続されている。
【０１５９】
このように構成された狭帯域干渉波制限装置１５０においては、検波器１１３で検出した狭帯域干渉波のレベルを、Ａ／Ｄ変換器１５２で一旦デジタル信号に変換してマイクロプロセッサ１５３に入力し、これに信号処理を施して第１のＡＧＣアンプ１１１と第２のＡＧＣアンプ１５１用の制御信号を作成し、これをそれぞれＤ／Ａ変換器１５４およびＤ／Ａ変換器１５５でアナログ信号に変換して第１のＡＧＣアンプ１１１および第２のＡＧＣアンプ１５１に入力して増幅率の制御を行っている。このように、第１のＡＧＣアンプ１１１と第２のＡＧＣアンプ１５１の制御をマイクロプロセッサを介したデジタル処理によって行うために、第１のＡＧＣアンプや第２のＡＧＣアンプの制御信号の変化に対する増幅率の変化が必ずしも直線的でなくても、これらを補正して、両者の増幅率の和を高い精度で一定に保つことができる。
【０１６０】
なお、上記の狭帯域干渉波制限装置１１０、１２０、１３０、１４０、１５０においては、図１に示した狭帯域干渉波制限装置１０の構成をベースとして第１および第２のＡＧＣアンプを設けた構成について説明したが、上述の図４、８、１０、１５、１７、１９に示した狭帯域干渉波制限装置２０、３０、８０、９０、１００、６０のいずれの構成をベースとして第１および第２のＡＧＣアンプを設けた構成としても構わないもので、狭帯域干渉波制限装置１１０、１２０、１３０、１４０、１５０の場合と同様の作用効果を奏するものである。
【０１６１】
図２５に、本発明の通信装置の一実施例を示す。図２５に示した通信装置７０は、スペクトル拡散通信装置の受信部を示しており、アンテナ７１と、帯域通過フィルタ７２と、アンプ７３と、図１に示した本発明の狭帯域干渉波制限装置１０と、逆拡散器７４と、復調器７５と、信号処理回路７６から構成されている。ここで、アンテナ７１は帯域通過フィルタ７２とアンプ７３を順に介して狭帯域干渉波制限装置１０に接続され、狭帯域干渉波制限装置１０は逆拡散器７４と復調器７５を順に介して信号処理回路７５に接続されている。
【０１６２】
このように構成された通信装置７０において、アンテナ７１で受信した拡散信号は、帯域通過フィルタ７２で不必要な周波数の信号が取り除かれ、アンプ７３で増幅され、狭帯域干渉波制限装置１０に入力される。狭帯域干渉波制限装置１０においては、拡散信号の占有周波数帯域内に混入してきた狭帯域干渉波が制限される。狭帯域干渉波が制限された信号は逆拡散器７４で逆拡散され、復調器７５で復調され、信号処理回路７６で信号処理され、例えば音声信号として出力される。なお、通信装置７０においては発明の主要部ではないため省略しているが、実際には必要に応じて適当な位置にミキサと局部発振器を接続して受信した信号の周波数変換を行うことが多い。
【０１６３】
このように、本発明の狭帯域干渉波制限装置１０を用いて通信装置７０を構成することにより、スペクトル拡散された信号の占有帯域内に混入してきた狭帯域干渉波が、巻き込みの少ない状態で制限され、通信装置７０の通信品質の劣化を防止することができる。
【０１６４】
なお、通信装置７０においては狭帯域干渉波制限装置１０を用いたが、狭帯域干渉波制限装置２０、３０、６０、８０、９０、１００、１１０、１２０、３０、１４０、１５０を用いても構わないもので、同様の作用効果を奏するものである。
【０１６５】
【発明の効果】
本発明の狭帯域干渉波制限装置によれば、入力された信号を２つに分配する信号分配手段と、分配された２つの信号に含まれている狭帯域干渉波と拡散信号のレベル差を互いに異ならせるレベル差作成手段と、狭帯域干渉波と拡散信号のレベル差が異なる２つの信号を、狭帯域干渉波のレベルを一致させるとともに位相を互いに反転させて合成する信号合成手段とを備え、しかも、レベル差作成手段が２つの信号経路を有し、その一方に一定以上のレベルの信号を周波数選択的に制限するレベル制限手段を設けてなることによって、拡散信号の占有周波数帯域に含まれる狭帯域干渉波を制限し、拡散信号の品質の劣化を防止することができる。
【０１６６】
また、レベル差作成手段が２つの信号経路を有し、その信号経路の両方に一定以上のレベルの信号を周波数選択的に制限するレベル制限手段を設けてなることによって、入力信号に含まれる狭帯域干渉波のレベルが多少変化しても、狭帯域干渉波の制限能力が失われることがないようにすることができる。
【０１６７】
また、レベル差作成手段が２つの信号経路を有し、その２つの信号経路の一方に一定以上のレベルの信号を周波数選択的に制限するレベル制限手段を設け、他方に一定以上のレベルの信号を周波数選択的に強調するレベル強調手段を設けてなることによって、狭帯域干渉波を制限するときの拡散信号の減衰を少なくすることができる。
【０１６８】
そして、上記のレベル制限手段やレベル強調手段としてリミッタ型やエンハンサ型の静磁波フィルタを用いても、巻き込みを少なくすることができる。また、レベル制限手段を、入力信号を２つ以上の信号に分配する第２の信号分配手段と、第２の信号分配手段から出力された信号の１つの狭帯域干渉波と拡散信号のレベル差を前記入力信号に対して異ならせるレベル差変更手段と、レベル差変更手段から出力された信号と第２の信号分配手段から出力された信号の別の１つを、狭帯域干渉波と拡散信号のレベル差の大きい方の信号の狭帯域干渉波のレベルを狭帯域干渉波と拡散信号のレベル差の小さい方の狭帯域干渉波のレベルより少し低くするとともに位相を互いに逆相にして合成する第２の信号合成手段から構成しても、拡散信号の減衰を小さくするとともに巻き込みを少なくすることができる。また、レベル制限手段を多段に構成することによって、巻き込みをさらに少なくすることができる。
【０１６９】
また、上記の信号分配手段とレベル差作成手段と信号合成手段を１つの狭帯域干渉波制限ブロックとして、複数の狭帯域干渉波制限ブロックを直列に接続して構成することによって、複数のレベルの異なる狭帯域干渉波を制限することができる。
【０１７０】
また、信号分配手段の前段に、狭帯域干渉波のレベルを一定にするための第１のＡＧＣアンプを設けるとともに、信号合成手段の後段に、拡散信号のレベルを一定にするための第２のＡＧＣアンプを設けることによって、狭帯域干渉波制限装置から出力される拡散信号のレベルを一定にすることができ、復調回路における不都合を無くすことができる。
【０１７１】
また、第２のＡＧＣアンプにおける増幅率が、第１のＡＧＣアンプにおける増幅率から決定され、しかも、第１のＡＧＣアンプにおける増幅率と、第２のＡＧＣアンプにおける増幅率の和を一定とすることによって、信号合成手段から出力される信号に狭帯域干渉波が残っていても、それに影響されることなく、拡散信号のレベルを一定にすることができる。また、拡散信号のレベルを一定にする段階で、拡散信号のレベルの検出を行っていないために、第２のＡＧＣアンプの増幅率制御が高速になるというメリットがある。
【０１７２】
また、本発明の通信装置においては、本発明の狭帯域干渉波制限装置を用いることによって、通信品質の劣化を少なくすることができる。
【図面の簡単な説明】
【図１】本発明の狭帯域干渉波制限装置の一実施例を示すブロック図である。
【図２】図１の狭帯域干渉波制限装置の各部における信号の周波数特性を示す図である。
【図３】図１の狭帯域干渉波制限装置の入出力特性を示す図である。
【図４】本発明の狭帯域干渉波制限装置の別の実施例を示すブロック図である。
【図５】図４の狭帯域干渉波制限装置の各部における信号の周波数特性を示す図である。
【図６】図４の狭帯域干渉波制限装置の入出力特性を示す図である。
【図７】図４の狭帯域干渉波制限装置の変形例の入出力特性を示す図である。
【図８】本発明の狭帯域干渉波制限装置のさらに別の実施例を示すブロック図である。
【図９】図８の狭帯域干渉波制限装置の入出力特性を示す図である。
【図１０】本発明の狭帯域干渉波制限装置のさらに別の実施例を示すブロック図である。
【図１１】図１０の狭帯域干渉波制限装置に用いたエンハンサ型の静磁波フィルタの構成を示す斜視図である。
【図１２】図１０の狭帯域干渉波制限装置の各部における信号の周波数特性を示す図である。
【図１３】本発明の狭帯域干渉波制限装置に用いるレベル制限手段の別の実施例を示すブロック図である。
【図１４】本発明の狭帯域干渉波制限装置に用いるレベル制限手段のさらに別の実施例を示すブロック図である。
【図１５】本発明の狭帯域干渉波制限手段に用いるレベル制限手段のさらに別の実施例を示すブロック図である。
【図１６】図１６のレベル制限手段の各部における信号の周波数特性を示す図である。
【図１７】本発明の狭帯域干渉波制限手段に用いるレベル制限手段のさらに別の実施例を示すブロック図である。
【図１８】図１６のレベル制限手段の各部における信号の周波数特性を示す図である。
【図１９】本発明の狭帯域干渉波制限装置のさらに別の実施例を示すブロック図である。
【図２０】本発明の狭帯域干渉波制限装置のさらに別の実施例を示すブロック図である。
【図２１】本発明の狭帯域干渉波制限装置のさらに別の実施例を示すブロック図である。
【図２２】本発明の狭帯域干渉波制限装置のさらに別の実施例を示すブロック図である。
【図２３】本発明の狭帯域干渉波制限装置のさらに別の実施例を示すブロック図である。
【図２４】本発明の狭帯域干渉波制限装置のさらに別の実施例を示すブロック図である。
【図２５】本発明の通信装置の一実施例を示すブロック図である。
【図２６】従来の狭帯域干渉波制限装置を示すブロック図である。
【図２７】図２６の狭帯域干渉波制限装置に用いたリミッタ型の静磁波フィルタの構成を示す斜視図である。
【符号の説明】
１０、２０、３０、６０、８０、１１０、１２０、１３０、１４０、１５０…狭帯域干渉波制限装置
１１、９１…入力端子
１２、９２、１０１、１１２、１１６…信号分配器
１３、２２、２３、８１、９３…リミッタ型の静磁波フィルタ
１４、２１、３１、９４、１０２…減衰器
１５、２４、９５、１０３…移相器
１６、９６、１０４…信号合成器
１７、９７…出力端子
１８、２５、３２、８３…レベル差作成手段
１９、２６、３３、１０５…信号合成手段
４０、５０、９０、１００…レベル制限手段
６４、６８、７２…狭帯域干渉波制限ブロック
７０…通信装置
８２…エンハンサ型の静磁波フィルタ
１１１…第１のＡＧＣアンプ
１１５、１２１、１３１、１４１、１５１…第２のＡＧＣアンプ
１１３、１１７…検波器
１１４、１１８、１３２、１４２…電圧変換器
１５２…Ａ／Ｄ変換器
１５３…マイクロプロセッサ
１５４、１５５…Ｄ／Ａ変換器
ｓ０、ｓ１、ｓ２、ｓ３、ｓ４、ｓ５、ｓ６、ｓ７、ｓ８、ｓ９、ｓ１０、ｓ１１、ｓ１２、ｓ１３、ｓ１４、ｓ１５、ｓ１６、ｓ１７、ｓ１８、ｓ１９…信号
ｐ１、ｐ３、ｐ５…第１の信号経路
ｐ２、ｐ４、ｐ６…第２の信号経路
【図１】
0004348797.tif 000002
【図２】
0004348797.tif 000003
【図３】
0004348797.tif 000004
【図４】
0004348797.tif 000005
【図５】
0004348797.tif 000006
【図６】
0004348797.tif 000007
【図７】
0004348797.tif 000008
【図８】
0004348797.tif 000009
【図９】
0004348797.tif 000010
【図１０】
0004348797.tif 000011
【図１１】
0004348797.tif 000012
【図１２】
0004348797.tif 000013
【図１３】
0004348797.tif 000014
【図１４】
0004348797.tif 000015
【図１５】
0004348797.tif 000016
【図１６】
0004348797.tif 000017
【図１７】
0004348797.tif 000018
【図１８】
0004348797.tif 000019
【図１９】
0004348797.tif 000020
【図２０】
0004348797.tif 000021
【図２１】
0004348797.tif 000022
【図２２】
0004348797.tif 000023
【図２３】
0004348797.tif 000024
【図２４】
0004348797.tif 000025
【図２５】
0004348797.tif 000026
【図２６】
0004348797.tif 000027
【図２７】
0004348797.tif 000028